(57)【特許請求の範囲】
【請求項１】
コンピュータ・システムを備えるラックが挿入される筐体の空間を囲み、かつ前記筐体の空間を増減自在に形成するデータ・センタ列インフラストラクチャ・モジュールであって、
前記筐体の対向側端部を確立する少なくとも２つの自立排気プレナム構造、ならびに、
前記少なくとも２つの自立排気プレナム構造間に形成され、かつ前記筐体の頂端部にまたがるプレナム・モジュール、を備え、
各自立排気プレナム構造は、外形を画定するように結合することで自立を可能にするフレームを含み、かつ壁要素により少なくとも部分的に包含された内部排気プレナム、を備え、
前記内部排気プレナムは、前記筐体からの排気を収容して、前記自立排気プレナム構造の頂端部上に排気口を介して前記収容された排気を誘導するように構成され、
前記プレナム・モジュールは、その下面によって前記筐体の上端を形成するとともに、前記筐体の上にあってかつ前記筐体から分離して形成される冷却空気プレナムの底端部を確立し、さらに前記冷却空気プレナムから前記筐体へ吸気を供給するように構成された少なくとも１つの吸気供給ベントを備え、
前記筐体の空間の大きさは、前記自立排気プレナム構造及び１つ以上の前記プレナム・モジュールを結合または除去することで増減する、データ・センタ列インフラストラクチャ・モジュール。
【請求項２】
前記プレナム・モジュールの前記吸気供給ベントは、前記冷却空気プレナムから前記筐体へ気流を誘導して前記吸気を前記筐体内へ供給するように構成された空気移動デバイスを備える、
請求項１の前記データ・センタ列インフラストラクチャ・モジュール。
【請求項３】
前記プレナム・モジュールは、
前記冷却空気プレナムから収容された冷却空気を前記少なくとも２つの排気プレナム構造のうちの少なくとも１つから収容された排気流と混合して、前記空気移動デバイスにより前記筐体内へ供給される前記吸気を提供するように構成された、空気混合プレナム、及び、
前記排気プレナム構造のうちの前記少なくとも１つに結合され、前記排気プレナム構造のうちの前記少なくとも１つの前記内部排気プレナムから前記空気混合プレナム内へ前記排気流を誘導するように構成された少なくとも１セットのダンパ、をさらに備える、
請求項２の前記データ・センタ列インフラストラクチャ・モジュール。
【請求項４】
前記少なくとも１セットのダンパは、前記空気混合プレナム内へ前記排気の流量を調整するために調整可能に位置決めされるように構成される、
請求項３の前記データ・センタ列インフラストラクチャ・モジュール。
【請求項５】
前記少なくとも１セットのダンパは、前記筐体内へ供給された前記吸気の１つ以上の特性に少なくとも部分的に基づき前記空気混合プレナム内へ前記排気流の前記流量を能動的に調整するように構成される、
請求項４の前記データ・センタ列インフラストラクチャ・モジュール。
【請求項６】
前記壁要素は、
少なくとも１つの前記冷却空気プレナムと共通の高さで、及び少なくとも部分的に前記プレナム・モジュールより高い高さで前記内部排気プレナムの一方の特定の部分を包含する一方の特定の壁要素、ならびに、
前記筐体の１部に関して共通の高さで、少なくとも部分的に前記プレナム・モジュールより低い高さで、及び少なくとも部分的に前記筐体内に位置決めされた少なくとも１つのラック・コンピューティング・システムより高い高さで、前記内部排気プレナムの他方の特定の部分を包含する他方の特定の壁要素、を備える、
請求項１ないし５のいずれかに記載の前記データ・センタ列インフラストラクチャ・モジュール。
【請求項７】
前記プレナム・モジュールから分離して、前記少なくとも２つの自立排気プレナム構造間で前記冷却空気プレナムの頂端部にまたがり、前記冷却空気プレナムの少なくとも１つの頂端部を確立するプレナム・ダクト・モジュール、を備える、
請求項１ないし６のいずれかに記載の前記データ・センタ列インフラストラクチャ・モジュール。
【請求項８】
各前記排気プレナム構造は、前記筐体上に前記プレナム・モジュールを構造上支持するように構成された支持構造を備え、各支持構造は、
前記支持構造の上面上に装着され、前記支持構造の前記上面及び前記支持構造上に載る前記プレナム・モジュールの下面間の境界面を密封して前記境界面を介して前記冷却空気プレナム及び前記筐体間の気流を制限するように構成された少なくとも１つ密封要素、を備える、
請求項１ないし７のいずれかに記載の前記データ・センタ列インフラストラクチャ・モジュール。
【請求項９】
各自立排気プレナム構造は、前記内部排気プレナムを包含するように及び前記自立排気プレナム構造へ構造上の支持を提供するように適合する、少なくとも複数の耐荷重フレーム部材を備える、棚パレット・ラック・システムの棚ラックを備え、
前記支持構造は、フォークリフト車によりパレットの移動可能にするドライブスルー・パレット・ラック・システムのための支持構造であって（［0095］）、前記棚パレット・ラック・システムの前記棚ラックの筐体が面する側部へ結合するように、及び前記支持構造上に載るプレナム・モジュールの構造上の荷重の少なくとも１部を支持するように適合する支持構造を備える、
請求項８の前記データ・センタ列インフラストラクチャ・モジュール。
【請求項１０】
前記プレナム・モジュールの少なくとも１部から前記筐体内へ懸架し、データ・センタ・インフラストラクチャ支持モジュールの上面のうちの少なくとも１部上に載る以下のデータ・センタ・インフラストラクチャ・コンポーネント、
前記筐体内に位置決めされた少なくとも１つのラック・コンピューティング・システムへ通信可能に結合された１本以上の送電線、
前記筐体内に位置決めされた少なくとも１つのラック・コンピューティング・システムへ通信可能に結合された１本以上のネットワーク・ケーブル、及び
前記筐体のうちの少なくとも１部を照らすように構成された１つ以上の照明素子、
のうちの１つ以上を構造上支持する前記データ・センタ・インフラストラクチャ支持モジュール、を備える、
請求項１ないし９のいずれかに記載の前記データ・センタ列インフラストラクチャ・モジュール。
【請求項１１】
前記少なくとも２つの自立排気プレナム構造のうちの少なくとも１つの筐体が面する側部のうちの少なくとも１部から前記筐体内へ懸架し、データ・センタ・インフラストラクチャ支持モジュールの上面のうちの少なくとも１部上に載る以下のデータ・センタ・インフラストラクチャ・コンポーネント、
前記筐体内に位置決めされた少なくとも１つのラック・コンピューティング・システムへ通信可能に結合された１本以上の送電線、
前記筐体内に位置決めされた少なくとも１つのラック・コンピューティング・システムへ通信可能に結合された１本以上のネットワーク・ケーブル、及び
前記筐体のうちの少なくとも１部を照らすように構成された１つ以上の照明素子、
のうちの１つ以上を構造上支持する前記データ・センタ・インフラストラクチャ支持モジュール、を備える、
請求項１ないし１０のいずれかに記載の前記データ・センタ列インフラストラクチャ・モジュール。
【請求項１２】
請求項１ないし１１に記載のデータ・センタ列インフラストラクチャ・モジュールを用いて廃熱除去を促進する方法であって、
フロア要素の１部の対向端部に隣接して少なくとも２つの自立排気プレナム構造を自立可能に装着し、各前記少なくとも２つの自立排気プレナム構造は、内部空気プレナムを包含し、前記フロア要素の前記１部の長軸に関して実質的に平行に延伸し、
前記少なくとも２つの自立排気プレナム構造のそれぞれの１つの筐体が面する側部から前記筐体内に各々延伸する、少なくとも２つの別個の支持構造上に少なくとも１つのプレナム・モジュールを装着し、これにより前記プレナム・モジュールの下面上に前記筐体の頂端部を確立し、かつ前記プレナム・モジュールの上面上に冷却空気プレナムの底端部を確立し、
前記プレナム・モジュールは、前記少なくとも１つの吸気供給ベントを介して前記冷却空気プレナムから前記筐体内へ吸気を誘導するように構成され、かつ、
各前記少なくとも２つの自立排気プレナム構造は、前記筐体から前記それぞれの排気プレナム構造の前記内部空気プレナム内へ排気を収容し、ならびに排気供給ベントを介して前記内部空気プレナムから外へ、及び外部環境内へ前記排気を誘導するように構成される、ことを含む、廃熱除去を促進する方法。
【請求項１３】
前記プレナム・モジュールは、
前記冷却空気プレナムから前記筐体へ気流を誘導して前記吸気供給ベントを介して前記筐体内へ前記吸気を供給するように構成された空気移動デバイス、
前記冷却空気プレナムから収容された冷却空気を前記少なくとも２つの自立排気プレナム構造のうちの少なくとも１つから収容された排気流と混合して前記空気移動デバイスにより前記筐体内へ供給される前記吸気を提供するように構成された、空気混合プレナム、ならびに、
前記自立排気プレナム構造のうちの前記少なくとも１つに結合され、前記排気プレナム構造のうちの前記少なくとも１つの前記内部空気プレナムから前記空気混合プレナム内へ前記排気流を誘導するように構成された少なくとも１セットのダンパ、を備える、
請求項１２の前記廃熱除去を促進する方法。
【請求項１４】
前記筐体内に供給された前記吸気の１つ以上の特性に少なくとも部分的に基づき前記空気混合プレナム内へ前記排気の流量を調整するように前記少なくとも１セットのダンパのうちの１つ以上を調整可能に位置決めする、ことを含む、
請求項１３の前記廃熱除去を促進する方法。
【請求項１５】
フロア要素のうちの１部の対向端部に隣接して各前記少なくとも２つの自立排気プレナム構造を装着することは、
フレーム構造の少なくとも１つの特定の側部に１つ以上の壁要素を結合して、前記内部空気プレナムとして前記フレーム構造の内部空間を少なくとも部分的に包含し、
１部のフロア要素の特定の端部に隣接して前記フレーム構造を装着し、前記フレーム構造の前記特定の側部は、前記フロア要素の前記１部に面し、前記筐体の少なくとも１つの側端部を確立する、ことを含む、
請求項１２の前記廃熱除去を促進する方法。
【発明の詳細な説明】
【背景技術】
【０００１】
オンライン小売業者、インターネット・サービス・プロバイダ、検索プロバイダ、金融機関、大学、及び他のコンピューティング集約型の機関のような組織は、大規模なコンピューティング施設から頻繁にコンピュータ操作を行う。このようなコンピューティング施設は、組織の業務を遂行するために必要に応じてデータを、処理し、格納し、交換するように、大容量の、サーバ、ネットワーク、及びコンピュータ機器を保管及び収容する。典型的に、コンピューティング施設のコンピュータ・ルームは、複数のサーバ・ラックを含む。各サーバ・ラックは、複数のサーバ及び関連したコンピュータ機器を順に含む。
【０００２】
コンピューティング施設が多数のサーバを含むことができるので、この施設を運営するために大量の電力を必要とする可能性がある。加えて、コンピュータ・ルーム（たとえば、互いに離隔した多くのラック、及び各ラック内の多くのサーバ）全体に広がる複数の位置に電力を分配する。通常、施設は、相対的に高電圧で給電を受ける。この給電は、より低電圧（たとえば、１１０Ｖ）に降圧される。ケーブリング、バス・バー、電源コネクタ、及び配電ユニットのネットワークを使用して、この施設内の複数の特定のコンポーネントへより低電圧で電力を供給する。
【０００３】
一般的にコンピュータ・システムは、廃熱を発生する複数のコンポーネントを含む。このようなコンポーネントは、プリント回路基板、大容量記憶装置、電源、及びプロセッサを含む。たとえば、複数のプロセッサを含むいくつかのコンピュータは、２５０Ｗの廃熱を発生することができる。いくつかの既知のコンピュータ・システムは、ラックマウント型コンポーネント内に構成される複数のこのような大規模な、マルチプロセッサ・コンピュータを含み、つぎに続いてラッキング・システム内に位置決めされる。いくつかの既知のラッキング・システムは、４０個のこのようなラックマウント型コンポーネントを含むため、このようなラッキング・システムは、最大１０ｋＷの廃熱を発生する。さらに、いくつかの既知のデータ・センタは、複数のこのようなラッキング・システムを含む。いくつかの既知のデータ・センタは、一般的にラック・システムのうちの１つ以上を介して空気を循環させることで、複数のラッキング・システムからの廃熱除去を促進する方法及び装置を含む。そこで構造は、廃熱源を設置する筐体を含み、これらの方法及び装置は、廃熱源、筐体、またはいくつかのそれらの組み合わせからの廃熱除去を促進するように構成されることができる。たとえば、データ・センタは、方法及び装置が複数のラック・コンピューティング・システムからの廃熱除去を促進するように構成されることができることを備え得る。
【０００４】
いくつかの廃熱除去システムは、空気の流れ（「排気」）へ廃熱を伝達することでデータ・センタからの廃熱を除去し、つぎにこの廃熱をデータ・センタ外の環境へ伝達するために使用される。このような環境は、周囲環境を有することが可能である。
【０００５】
任意の所与のデータ・センタのために必要なコンピューティング容量は、ビジネス・ニーズに応じて迅速に変更することができる。よくロケーションで増加したコンピューティング容量が必要である。最初にデータ・センタ内のコンピューティング容量を提供すること、またはデータ・センタの既存の容量を拡張すること（たとえば、追加のサーバの形式で）は、リソース集約型であり、実装するために何ヶ月もかかることがある。一般的に相当な時間及びリソースは、データ・センタ（またはそれらの拡張）を設計して構築し、ケーブルを敷設し、ラック、筐体、及び冷却システムを挿入し、それらからの廃熱除去を実現するために必要とされる。一般的に追加の時間及びリソースは、電気及びＨＶＡＣシステムのためのような、検査を実施して、認証及び承認を得るために必要とされる。
【図面の簡単な説明】
【０００６】
【図１】いくつかの実施形態によりエア・ハンドリング・システム及び１つ以上のデータ・センタ列インフラストラクチャ・モジュールを含むデータ・センタを図示する概略図である。
【図２】図２Ａ〜Ｂは、いくつかの実施形態により１つ以上のデータ・センタ列インフラストラクチャ・モジュールの断面図を説明する概略図である。
【図３】いくつかの実施形態によるデータ・センタ列インフラストラクチャ・モジュールの１部の断面図である。
【図４】いくつかの実施形態によるデータ・センタ列インフラストラクチャ・モジュールの１部の断面図である。
【図５】いくつかの実施形態による自立排気プレナム構造を説明する。
【図６】いくつかの実施形態によるプレナム・モジュールの透視図である。
【図７】いくつかの実施形態によるプレナム・モジュールの透視図である。
【図８】いくつかの実施形態によりデータ・センタ内にデータ・センタ列インフラストラクチャ・モジュールを提供することを説明する。
【図９】いくつかの実施形態によりデータ・センタ列インフラストラクチャ・モジュールの１つ以上のコンポーネントを介してコンピューティング筐体内の空気循環を管理することを説明する。
【図１０】いくつかの実施形態によりデータ・センタ列インフラストラクチャ・モジュールの１つ以上のコンポーネントを介してコンピューティング筐体内の空気循環を管理することを説明する。
【発明を実施するための形態】
【０００７】
本明細書で記述されたさまざまな実施形態は、さまざまな変形形態及び代替形態を許容する。特定の実施形態は、図面内に実施例として示され、本明細書で詳細に記述される。しかしながら、図面及びそれらへ詳細な説明が本開示を開示された特定の形態に限定することを意図されないが、むしろこの意図が添付の特許請求の範囲の趣旨及び範囲内に入るすべての変更形態、均等物及び代替物を網羅することを理解するべきである。本明細書で使用された表題は、編成目的のみのためであり、明細書の範囲または特許請求の範囲を限定するために使用されることを意図されない。本出願を通して使用されるように、単語「ｍａｙ」は、義務的な意味（すなわち、しなければならない、という意味）よりも、許可的な意味（すなわち、可能性を有する、という意味）で使用される。同様に、単語「ｉｎｃｌｕｄｅ」、「ｉｎｃｌｕｄｉｎｇ」、及び「ｉｎｃｌｕｄｅs」は、含むが制限されないことを意味する。
【０００８】
データ・センタのためのモジュラ型システムのさまざまな実施形態を開示する。１つの実施形態により、データ・センタは、それ自体がフロア要素及び内部空間を有する筐体、この筐体の内部空間内に位置決めされたデータ・センタ列インフラストラクチャ・モジュールを含む。このデータ・センタ列インフラストラクチャ・モジュールは、少なくとも２列のサーバ・ラックに吸気を誘導し、これらの少なくとも２列のサーバ・ラックから離れて、筐体の内部空間のうちの少なくとも１部内に排気を誘導することが可能である。データ・センタ列インフラストラクチャ・モジュールは、コールド・アイル空間、２つ以上の自立排気プレナム構造、及びプレナム・モジュールを含む。コールド・アイル空間は、長軸、及び少なくとも２列の別個のラック・コンピューティング・システムを有する。各列のラック・コンピューティング・システムは、コールド・アイルの長軸の対向側部上に位置決めされ、各ラック・コンピューティング・システムは、コールド・アイル空間の長軸に面する前側部上に吸気を収容し、この前側部に対向してコールド・アイル空間の長軸から離れて面する後側部上に排気を放出することが可能である。各自立排気プレナム構造は、長軸に関して実質的に平行に各々延伸する、コールド・アイル空間の対向側部上の別個の列のラック・コンピューティング・システムの後側部に隣接するフロア要素上に装着される。各自立排気プレナム構造は、フレーム構造、内部排気プレナム、少なくとも１セットの壁要素、及び少なくとも１つの支持アーム構造を含む。フレーム構造は、耐荷重フレーム部材を含み、自立排気プレナム構造の構造上の外形及び構造上の支持を確立することが可能である。内部排気プレナムは、少なくとも１セットの壁要素及び結合された耐荷重フレーム部材に少なくとも部分的に接して、内部排気プレナムは、このセットのラック・コンピュータ・システムの後側部からの排気を収容してこの排気を筐体の排気プレナム内に誘導するように構成される。この１セットの壁要素は、フレーム部材に結合され、コールド・アイル空間に面する自立排気プレナム構造のアイルが面する側部の少なくとも１部を実質的に包含する。この１セットの壁要素は、内部排気プレナム内の気流をコールド・アイル空間から、隣接する列のラック・コンピュータ・システムの後側部から放出された排気へ制限することが可能である。支持アーム構造は、自立排気プレナム構造のアイルが面する側部から延伸する。プレナム・モジュールは、少なくとも２つの自立排気プレナム構造間のコールド・アイル空間にまたがり、各自立排気プレナム構造の支持アーム構造の上面上に載り、プレナム・モジュール上に冷却空気プレナムの下部境界、及びプレナム・モジュール下で少なくとも２つの自立フレーム構造間にコールド・アイル空間の上部境界を確立する。プレナム・モジュールは、冷却空気プレナム及びコールド・アイル空間を実質的に密封する構造要素、ならびに冷却空気プレナム及びコールド・アイル空間の間の構造要素を介して延伸し、吸気として少なくとも２列のラック・コンピューティング・システムへ供給されるコールド・アイル空間内へ冷却空気プレナムを介して循環する冷却空気の少なくとも１部を誘導する吸気供給ベントを含む。
【０００９】
１つの実施形態により、データ・センタ列インフラストラクチャ・モジュールは、筐体及びプレナム・モジュールの対向側端部を包含する少なくとも２つの自立排気プレナム構造を含む。各自立排気プレナム構造は、壁要素により少なくとも部分的に包含された内部排気プレナムを含む。内部排気プレナムは、筐体からの排気を収容し、この収容された排気を自立排気プレナム構造の頂端部上の排気口を介して誘導することが可能である。プレナム・モジュールは、自立排気プレナム構造間の筐体の頂端部にまたがり、各排気プレナム構造の少なくとも１つの支持構造上に載り、筐体上に、及び筐体から分離して、自立排気プレナム構造間に冷却空気プレナムの底端部を確立する。プレナム・モジュールは、冷却空気プレナムから筐体へ吸気を供給可能である吸気供給ベントを含む。
【００１０】
１つの実施形態により、方法は、フロア要素のうちの１部の対向端部に隣接して自立排気プレナム構造を装着すること、及びプレナム・モジュールの下面上に筐体の頂端部を確立してプレナム・モジュールの上面上に冷却空気プレナムの底端部を確立する別個の支持構造上にプレナム・モジュールを装着することを備える。各自立排気プレナム構造は、別個の内部空気プレナムを包含し、１部のフロア要素の長軸に関して実質的に平行に延伸し、筐体の側端部を確立する。各別個の支持構造は、自立排気プレナム構造のうちのそれぞれの１つの筐体が面する側部から筐体内へ延伸する。プレナム・モジュールは、少なくとも１つの吸気供給ベントを含み、少なくとも１つの吸気供給ベントを介して冷却空気プレナムから筐体内へ吸気を誘導することが可能である。各自立排気プレナム構造は、筐体から内部空気プレナム内へ排気を収容し、排気供給ベントを介して、内部空気プレナムから外へ及び外部環境内へこの排気を誘導することが可能である。
【００１１】
本明細書で使用されるように、「エア・ハンドリング・モジュール」は、モジュール外側の１つ以上のシステムまたはコンポーネントへ空気を供給するモジュールを意味する。
【００１２】
本明細書で使用されるように、「アイル」は、１つ以上のラックに隣接する空間を意味する。
【００１３】
本明細書で使用されるように、「周囲」は、システムまたはデータ・センタの位置での外気の状態を指す。周囲温度は、たとえば、エア・ハンドリング・システムの吸気フードで、またはこれの付近で取り込まれることができる。
【００１４】
本明細書で使用されるように、「コンピューティング」は、計算、データ・ストレージ、データ取得、または通信のような、コンピュータにより実行されることが可能な任意の動作を有する。
【００１５】
本明細書で使用されるように、「コンピュータ・ルーム」は、ラックマウント型サーバのようなコンピュータ・システムが動作するビルディング・ルームを意味する。
【００１６】
本明細書で使用されるように、「コンピュータ・システム」は、さまざまなコンピュータ・システムまたはそれらのコンポーネントのうちのいずれかを含む。コンピュータ・システムの１つの実施例は、ラックマウント型サーバである。本明細書で使用されるように、用語コンピュータは、コンピュータと当該技術分野で言われるこれらの集積回路のみに限定されないが、プロセッサ、サーバ、マイクロコントローラ、マイクロコンピュータ、プログラマブル・ロジック・コントローラ（ＰＬＣ）、特定用途向け集積回路、及び他のプログラム可能な回路を広範囲に指し、これらの用語は、本明細書で交換可能に使用される。さまざまな実施形態において、メモリは、限定されないが、ランダム・アクセス・メモリ（ＲＡＭ）のような、コンピュータ可読媒体を含むことができる。あるいはまた、読み出し専用メモリ（ＣＤ−ＲＯＭ）、光磁気ディスク（ＭＯＤ）、及び／またはデジタル多目的ディスク（ＤＶＤ）のような、コンパクト・ディスクを使用することができる。また、追加の入力チャネルは、マウス及びキーボードのようなオペレータ・インタフェースと関連したコンピュータ周辺機器を含むことができる。あるいはまた、たとえば、スキャナを含むことができる他のコンピュータ周辺機器を使用することができる。さらに、いくつかの実施形態において、追加の出力チャネルは、オペレータ・インタフェース・モニタ及び／またはプリンタを含むことができる。
【００１７】
本明細書で使用されるように、「データ・センタ」は、コンピュータ操作を実行する任意の施設または施設の部分を含む。データ・センタは、特定の機能（たとえば、電子商取引のトランザクション、データベース管理）に専用のまたは複数の機能を提供するサーバ及び他のシステム及びコンポーネントを含むことができる。コンピュータ操作の実施例は、情報処理、通信、シミュレーション、及び動作制御を有する。
【００１８】
本明細書で使用されるように、「機械的冷却」は、蒸気圧縮冷凍システム内で発生するような、少なくとも１つの流体上で機械的作業を行うことを伴うプロセスによる空気の冷却を意味する。
【００１９】
本明細書で使用されるように、「気化冷却」は、液体の気化による空気の冷却を意味する。
【００２０】
本明細書で使用されるように、「直接気化冷却」は、冷却される空気のストリーム内へ直接に液体の気化による空気の冷却を意味する。
【００２１】
本明細書で使用されるように、「断熱システム」は、液体の気化により冷却するシステムを意味する。
【００２２】
本明細書で使用されるように、「フリー・クーリング」は、エア・ハンドリング・システムが外部源（施設外側の空気のような）から少なくとも部分的に空気及び／またはコンピュータ・ルームからの戻りを吸い込み、エア・ハンドリング・サブシステム内で能動的に冷却せずにこの空気を電子機器へ吹き出す（たとえば、エア・ハンドリング・サブシステム内のチラー・コイルを介する流体流が流量制御弁を閉じることで遮断される）。
【００２３】
本明細書で使用されるように、「煙突効果」または「スタック効果」は、通路の端部間の空気密度差により誘導される通路を介する空気の流れを指す。このような差は、通路の端部間の温度差、周囲圧力差、湿度差、及び同様のものを有する、１つ以上のさまざまな要因により誘導されることができる。たとえば、暖かい筐体を含むビルディングは、より冷たい周囲環境に囲まれ、煙突効果は、この環境からのより高密度のさらに冷たい空気により置換されていながら、通路を通過する筐体のより低密度のさらに暖かい空気とこの環境間の空気密度差により誘導される筐体及び環境間の通路（たとえば、煙突）を通して誘導された気流を指すことができる。
【００２４】
本明細書で使用されるように、「ルーム」は、構造のルームまたは空間を意味する。「コンピュータ・ルーム」は、ラックマウント型サーバのようなコンピュータ・システムが動作するルームを意味する。
【００２５】
本明細書で使用されるように、「ダンパ」は、ダクト、コンジット、または他の通路を介する流体の流れを制御する（たとえば、増加させる、または減少させる）ように移動することが可能である任意のデバイスまたはコンポーネントを含む。ダンパの実施例は、プレート、ブレード、パネル、またはディスク、または任意のそれらの組み合わせを含む。ダンパは、複数の要素を含むことができる。たとえば、ダンパは、ダクトを閉鎖するように同時に回転することが可能である互いに平行関係で一連のプレートを含むことができる。本明細書で使用されるように、ダンパを「調整する」ことは、ダンパの１つ以上の要素を配置し、またはこれらを残し、開口する、閉鎖する、または部分的に開口するような、ダンパを介して所望の流動特性を達成することを意味する。たとえば、１８個の受動的な冷却システムを有するシステムにおいて、排気ダンパを調整することは、受動的な冷却システムのうちの８個において少なくともいくつかの選択された排気ダンパを開口すること、及び残り１０個の受動的な冷却システムにおいて少なくともいくつかの排気ダンパを閉鎖し続けることを備えることができる。
【００２６】
本明細書で使用されるように、「空間」は、空間、領域または容量を意味する。
【００２７】
本明細書で使用されるように、「モジュール」は、コンポーネント、または互いに物理的に結合されたコンポーネントの組み合わせである。モジュールは、フレーム、ハウジング、構造、コンテナなどのような、構造要素と同様に、コンピュータ・システム、ラック、送風機、ダクト、配電ユニット、消火システム、及び制御システムのような、機能的な要素及びシステムを含むことができる。いくつかの実施形態において、モジュールは、データ・センタから現地外の場所で事前に製造される。
【００２８】
図１は、いくつかの実施形態によりエア・ハンドリング・システム及び１つ以上のデータ・センタ列インフラストラクチャ・モジュールを含むデータ・センタ１００を説明する概略図である。平面１５０及び１６０は、図２Ａ〜Ｂを参照して以下でさらに説明及び記述される、データ・センタ１００内に含まれたさまざまな要素の断面図を表す。
【００２９】
いくつかの実施形態において、データ・センタは、コンピューティング・システム、及びコンピューティング・システムからの廃熱エネルギーを除去する１つ以上の冷却システムを有する１つ以上のコンピュータ・ルームを含む。たとえば、図示された実施形態において、データ・センタ１００は、また置換可能に以下で「内部空間」とする、内部筐体空間１０６を囲むルーム１０２、及びフロア要素１０４を含む。データ・センタ１００は、いくつかの実施形態において、さまざまな発熱コンポーネントからの排気を収容すること、及び周囲環境を有する、少なくとも１つの外部環境へこの排気を誘導することが可能である排気プレナム１０８を含むことができる。
【００３０】
データ・センタ１００は、エア・ハンドリング・システム１１０を含む。エア・ハンドリング・システム１１０は、１つ以上の排気口コンジット１１６を介して内部筐体空間１０６の１つ以上の部分へ空気を供給する。いくつかの実施形態において、エア・ハンドリング・システム１１０は、１つ以上のコンジット１１６を介して冷却空気として空気を供給する１つ以上の空気移動デバイスを含む。エア・ハンドリング・システムは、冷却空気として供給された空気の少なくともいくらかを冷却する、１つ以上の機械的な冷却システム、気化冷却システムなどを含む、１つ以上の空気冷却システムを含むことができる。いくつかの実施形態において、エア・ハンドリング・システムは、吸気口コンジット１１２を介して周囲環境から収容された周囲空気を介して冷却空気の少なくともいくらかを供給する。エア・ハンドリング・システム１１０内へ吸気口コンジットを介して収容された空気は、冷却空気の少なくとも１部として冷却及び供給されることができる。いくつかの実施形態において、周囲環境から収容された周囲空気は、周囲空気の冷却から独立したコンジット１１６へ誘導される。
【００３１】
いくつかの実施形態において、エア・ハンドリング・システム１１０は、再循環された空気として排気プレナム１０８の少なくとも１部を介して循環している排気の少なくとも１部を収容する。再循環された空気は、１つ以上のコンジット１１４を介してプレナム１０８からエア・ハンドリング・システム１１０に誘導されることが可能である。再循環された空気は、コンジット１１２を介して収容された周囲空気を含むことが可能である、少なくともいくつかの冷却された空気とエア・ハンドリング・システム１１０で混合され、１つ以上の排気口コンジット１１６を介して冷却空気として供給される混合された空気を提供することができる。周囲空気、再循環された排気及び混合された空気内に含まれた少なくともいくらかの空気の冷却の混合比のうちの１つ以上は、コンジット１１６を介して供給された冷却空気の１つ以上の目標特性に少なくとも部分的に基づくことができる。たとえば、コンジット１１６を介して供給された冷却空気内でコンジット１１２を介して収容された周囲空気と混合されるコンジット１１４を通る排気の流量は、１つ以上のダンパ、空気移動デバイスなどの調整可能な制御を介して制御され、１つ以上の所定の値の範囲内の、温度、湿球温度、相対湿度などを有する、冷却空気の１つ以上の特性を維持することができる。
【００３２】
データ・センタ１００は、データ・センタ列インフラストラクチャ・モジュール１２０を含む。データ・センタ列インフスラトラクチャ・モジュールは、データ・センタの１つ以上のコンピュータ・システムを１以上の列１２３のラック１２４の内に挿入する筐体空間１２２を少なくとも部分的に囲む。筐体空間１２２は、吸気を循環して、筐体空間１２２内の別個の列１２３のラック１２４内のコンピュータ・システムへ供給し、ラック１２４内のコンピュータ・システムの１つ以上の発熱コンポーネントからの熱を除去する、「コールド・アイル」空間を含むことが可能である。
【００３３】
いくつかの実施形態において、データ・センタ列インフラストラクチャ・モジュール１２０は、データ・センタ１００の内部筐体空間１０６内に挿入され、筐体空間１２２の少なくとも１部を確立してこれに接する、複数の別個のモジュラ型要素、及びそれらの内に設置されたラック１２４内に挿入されたコンピュータ・システムを備える。モジュラ型要素は、自立排気プレナム構造モジュール（以下でまた「自立排気プレナム構造」と置換可能にとする）、プレナム・モジュール、電気モジュール、及びエア・ハンドリング・モジュールを含むことができる。各モジュールまたはモジュールの部分は、セミトレーラ上のように、別個に運搬されることができる。いくつかの実施形態において、モジュール、またはモジュールの部分は、工場のような一方の場所で事前に製造され、他方の場所でデータ・センタの現地へ運搬される。特定の実施形態において、しかしながら、すべてのまたはいくつかの部分のモジュールは、データ・センタ１００の現地で組み立てられることができる。たとえば、１つ以上の自立排気プレナム構造１３０及びプレナム・モジュール１４０は、内部筐体空間１０６内に挿入されることができ、ラック１２４は、モジュール１３０、１４０が少なくとも部分的に接する筐体空間１２２内に挿入されることができる。空気移動デバイス、空気冷却システムなどを含む冷却システムは、１つ以上のモジュール内に含まれることができる、エア・ハンドリング・システム１１０内に挿入されることができる。いくつかの実施形態において、モジュールは、現地へのモジュールの出荷前に事前に保証される。
【００３４】
データ・センタ列インフラストラクチャ・モジュール１２０は、いくつかの実施形態において、１以上の列１２３のラック１２４内へコンピュータ・システムのラック１２４を挿入できる筐体空間１２２に少なくとも部分的に接することが可能であり、データ・センタ列インフラストラクチャ・モジュール１２０の１つ以上の要素は、筐体空間１２２内へ吸気を循環して、筐体空間１２２内に挿入された１つ以上のコンピュータ・システムを含む１つ以上のデバイスの１つ以上の発熱コンポーネントから熱を除去することが可能である。データ・センタ列インフラストラクチャ・モジュール１２０の１つ以上の要素は、筐体空間１２２から、以下で「排気」とされる空気のような、発熱コンポーネントのうちの少なくとも１つからの熱を除去している空気を除去することが可能である。結果として、廃熱は、筐体空間１２２内に設置されたコンピュータ・システムから除去されることが可能である。
【００３５】
データ・センタ列インフラストラクチャ・モジュール１２０は、自立排気プレナム構造１３０を含む。自立排気プレナム構造１３０は、この構造１３０の内部筐体を確立する１つ以上のフレーム部材を含むことが可能であり、１つ以上の壁要素は、この構造の内部空間を少なくとも部分的に囲み、内部排気プレナム１３２を確立することが可能である。図示された実施形態において示されるように、自立排気プレナム構造１３０は、筐体空間１２２の１つ以上の側部上の内部空間１０６内に位置決めされ、筐体空間の１つ以上の側端部を確立することが可能である。いくつかの実施形態において、自立排気プレナム構造１３０は、筐体空間１２２の側部に隣接して装着されることが可能であるため、筐体空間１２２内のコンピュータ・システムの１つ以上のラック１２４の後端部は、自立排気プレナム構造１３０の表面に当接する。ラック１２４の後端部に当接する自立排気プレナム構造１３０の表面は、コンピュータ・システムのラック１２４からの排気を内部排気プレナム１３２内に収容することが可能である、間隙１７０を含むことが可能である。いくつかの実施形態において、間隙の１つ以上の部分は、取り外し可能なパネル（図１で図示せず）により囲まれ、内部排気プレナム１３２内への排気の気流を少なくとも部分的に抑制することが可能である。プレナム１３２内に収容された排気は、自立排気プレナム構造１３０の１つ以上の側部上に１つ以上の排気ベント１３４を介してデータ・センタ列インフラストラクチャ・モジュール１２０から外へ誘導されることが可能である。
【００３６】
図示された実施形態を有する、いくつかの実施形態において、排気ベント１３４は、壁要素が包含しない自立排気プレナム構造１３０の頂端部を含み、この頂端部は、少なくとも内部空間１０６、プレナム１０８などへ開口する。プレナム１３２内の排気は、煙突効果勾配、圧力勾配、それらのいくつかの組み合わせ、または同様のものを有する、プレナム１３２及び少なくとも内部空間１０６間の１つ以上の勾配を介してベント１３４から外へ誘導されることが可能である。いくつかの実施形態において、そこでデータ・センタ１００は、内部空間排気プレナム１０８を含み、排気は、プレナム１３２及びプレナム１０８間の１つ以上の勾配を介してプレナム１３２から排気プレナム１０８内へ誘導されることが可能である。モジュール１２０から外へ及び排気プレナム１０８内へ誘導された排気は、ルーム１０２から外へ誘導される、再循環コンジット１１４を介してエア・ハンドリング・システム１１０へ再循環され少なくとも部分的に戻る、いくつかのそれらの組み合わせをする、または同様のものをすることが可能である。
【００３７】
データ・センタ列インフラストラクチャ・モジュール１２０は、筐体空間１２２の頂端部、及び筐体空間１２２から分離する冷却空気プレナム１４４の少なくとも１部を確立するように挿入される１つ以上のプレナム・モジュール１４０を含む。プレナム・モジュール１４０は、いくつかの実施形態において、筐体空間１２２の対向側部上に別個の自立排気プレナム構造１３０自体が装着される、別個の自立排気プレナム構造１３０の別個の支持要素上に装着される１つ以上の要素を備え、そこでプレナム・モジュール１４０は、対向する自立排気プレナム構造１３０間の空間の少なくとも１部にまたがり、筐体空間１２２の少なくとも１つの頂端部、及び冷却空気プレナム１４４の底端部を確立する。いくつかの実施形態において、プレナム・モジュール１４０は、対向する自立排気プレナム構造１３０の支持アーム構造上に装着され、そこで支持アーム構造は、プレナム・モジュールへ構造上の支持を提供する。
【００３８】
いくつかの実施形態において、冷却空気プレナム１４４は、データ・センタ列インフラストラクチャ・モジュール１２０のさまざまなモジュラ型要素に少なくとも部分的に基づき確立される。示されるように、冷却空気プレナム１４４のいくつかの実施形態は、１つ以上の自立排気プレナム構造１３０及びプレナム・モジュール１４０の少なくとも部分に基づき確立される。冷却空気プレナム１４４の側端部は、筐体空間１２２の対向側部上に装着された自立排気プレナム構造１３０の表面に少なくとも部分的に基づき確立されることができ、冷却空気プレナム１４４の底端部は、プレナム・モジュール１４０の要素の上面を含むことが可能である、プレナム・モジュール１４０の１つ以上の表面に少なくとも部分的に基づき確立されることができ、そこでプレナム・モジュール要素の下面は、筐体空間１２２の頂端部を確立し、プレナム・モジュール要素は、ベント１４２を含む。
【００３９】
いくつかの実施形態において、列インフラストラクチャ・モジュール１２０は、自立排気プレナム構造１３０上に装着されることが可能な１つ以上のプレナム・ダクト１４６を含み、これらの構造１３０自体は、筐体空間１２２の対向側部上に装着され、プレナム・ダクト１４６の下面を介して冷却空気プレナム１４４の頂端部を確立する。プレナム・ダクト１４６は、別個の自立排気プレナム構造１３０の支持要素上に装着されることが可能であり、そこで支持要素は、プレナム・ダクト１４６へ構造上の支持を提供し、自立排気プレナム構造の少なくとも１部を介してプレナム・ダクトの構造上の負荷を伝達する。プレナム・ダクトは、いくつかの実施形態において、冷却空気プレナム１４４の頂部及び側部を囲むように装着される。
【００４０】
いくつかの実施形態において、自立排気プレナム構造１３０のうちの１つ以上は、１つ以上の支持アーム構造を含む１つ以上の支持要素を含む。支持アーム構造は、自立排気プレナム構造の１つ以上のフレーム部材に結合されることができる。いくつかの実施形態において、支持アーム構造は、支持アーム構造上に装着された１つ以上の要素を構造上支持することが可能である。たとえば、支持アーム構造は、自立排気プレナム構造の少なくとも１部を介して支持アーム構造上に装着された要素の構造上の負荷を伝達することが可能である。いくつかの実施形態において、支持アーム構造は、自立排気プレナム構造の表面から離れて延伸する。たとえば、そこで１つ以上の自立排気プレナム構造１３０は、筐体空間１２２の対向側部上の内部空間１０６のフロア要素１０４上に装着され、自立排気プレナム構造１３０の１つ以上は、筐体空間１２２に面する自立排気プレナム構造１３０の表面から離れて、筐体空間１２２の少なくとも１部内に延伸する少なくとも１つの支持アーム構造を含むことが可能である。
【００４１】
プレナム・モジュール１４０は、吸気として筐体空間１２２内へ冷却空気プレナム１４４の少なくとも１部を介して循環する冷却空気を誘導する１つ以上のベント１４２を含むため、筐体空間１２２内のラック１２４中のコンピュータ・システムへ空気を供給し、コンピュータ・システムから廃熱を除去する。いくつかの実施形態において、プレナム・モジュール１４０は、筐体空間１２２の対向側部上に各々の少なくとも２つの自立排気プレナム構造１３０の別個の支持アーム構造上に装着されるため、プレナム１４０は、支持アーム構造上に載り、支持アーム構造を介して自立排気プレナム構造１３０へ構造上の負荷を伝達する。
【００４２】
いくつかの実施形態において、データ・センタ列インフラストラクチャ・モジュール１２０内に含まれたモジュラ型要素のうちの１つ以上は、棚システムのために利用されることが可能であるコンポーネントからなる。たとえば、自立排気プレナム構造１３０のフレーム部材は、自立パレット棚構造からなることが可能である。パレットを格納して積み重ねるために利用されるような、自立パレット棚ラックは、この構造の内部を通して複数の横方向ブレース部材を含み、棚を提供し、パレットを支持することができる。自立排気プレナム構造１３０は、いくつかの実施形態において、複数の横方向ブレース部材を除去してこの構造の内部を広げて内部排気プレナムを含む自立パレット棚ラックを含み、１つ以上の壁要素は、この構造の１つ以上の表面に結合され、内部排気プレナムなどを少なくとも部分的に包含する。別の実施例において、自立排気プレナム構造の１つ以上の支持アーム構造は、ドライブスルー・パレット棚システムの支持アームを含むことができる。パレットを格納して積み重ねるために利用されるような、ドライブスルー・パレット棚システムは、自立構造を含まないことができ、フロア要素にボルトで固定されポスト間の空間内へ延伸する１つ以上の支持アーム構造を各々含む、複数の特に離隔した垂直ポストを含むことができ、そこでパレットは、これらの空間内へ移動すること、及び複数のポストから共通空間内へ延伸する複数の支持アーム構造上に載るように持ち上げられることが可能である。ドライブスルー・パレット棚システムにおいて、パレットは、フォークリフト車により移動させられ持ち上げられることができる。自立排気プレナム構造１３０は、いくつかの実施形態において、自立排気プレナム構造のフレーム部材に結合されるドライブスルー・パレット棚システムの１つ以上の支持アーム構造を含む。いくつかの実施形態において、自立排気プレナム構造１３０の少なくとも１部は、フレーム部材及び支持アーム構造を含む、別個の棚システムの選択された要素の結合を介して組み立てられることが可能である。
【００４３】
いくつかの実施形態において、自立排気プレナム構造１３０、プレナム・モジュール１４０、プレナム・ダクト１４６などのうちの１つ以上は、内部空間１０６内に挿入され、以下でまた「接した筐体」とされる、筐体空間１２２の少なくとも１部に接するデータ・センタ列インフラストラクチャ・モジュールを迅速に確立することが可能であるため、モジュラ型要素は、接した筐体１２２内に設置された、ラック・コンピュータ・システムを含む、発熱コンポーネント用の接した筐体１２２を介して空気循環を提供する。データ・センタ列インフラストラクチャ・モジュール１２０は、自立排気プレナム構造１３０、プレナム・モジュール１４０などの、それぞれ追加及び除去を介してサイズが増大及び減少し、組み立てられたデータ・センタ列インフラストラクチャ・モジュール１２０を介して空気循環を提供する、接した筐体１２２を長くするまたは短くすることが可能である。
【００４４】
いくつかの実施形態において、接した筐体１２２は、接した筐体１２２の１つ以上の側部沿いに延伸する１つ以上の自立排気プレナム構造の１つ以上の表面に関して実質的に平行に延伸する１以上の列１２３のラック１２４を含む。そこで自立排気プレナム構造１３０は、筐体空間１２２の対向側部上に装着され、１列以上のラック１２４は、筐体空間１２２内に装着され、筐体空間に面する自立排気プレナム構造の１つ以上の表面沿いに延伸することができる。
【００４５】
いくつかの実施形態において、自立排気プレナム構造１３０は、筐体空間１２２の対向側部上に装着され、筐体空間の軸に関して実質的に平行に延伸する。この軸は、空間１２２の長軸、空間１２２の短軸などを含むことが可能である。列は、自立排気プレナム構造に関して実質的に平行に、及びこの構造が平行にまた延伸している軸に関して実質的に平行に筐体空間１２２内に挿入されることができる。図示された実施形態において、たとえば、筐体空間１２２は、長軸を含み、自立構造１３０は、空間１２２の長軸に関して実質的に平行に筐体空間１２２の対向側部沿いに延伸している。さらに、空間１２２は、別個の２列１２３のラック１２４を含み、そこで各列１２３のラック１２４は、ルームの長軸に関して実質的に平行に延伸し、各列のラックは、筐体空間１２２の所与の側部上の１セット以上の自立排気プレナム構造１３０の表面に対して所与の列内でラックの後端部に当接するように挿入される。結果として、筐体空間１２２（「接した筐体」）は、対向して面するセットの自立排気プレナム構造１３０により空間１２２の長軸に実質的に平行である側端部上に接し、空間１２２は、対向して面する２列１２３のラック１２４を含み、そこで各列１２３のラック１２４の前端部は、長軸及び対向する列１２３のラック１２４の方向へ空間１２２内に面し、所与の列のラックの後端部は、空間１２２内に面する自立排気プレナム構造１３０の隣接するセットの表面に当接する。
【００４６】
データ・センタ列インフラストラクチャ・モジュール１２０内で展開された、自立排気プレナム構造１３０、プレナム・モジュール１４０などを含む、複数のモジュラ型要素の数は、データ・センタ１００の要求に基づき選択されることができる。たとえば、施設Ａ内のデータ・センタが３８個のサーバ・ラックを必要とする場合に、施設Ａは、８個の自立排気プレナム構造１３０及び４個のプレナム・モジュール１４０を提供することができ、これら８個の自立排気プレナム構造は、空間１２２の対向側部上に挿入されることが可能であり、プレナム・モジュール１４０は、対向する自立排気プレナム構造１３０間にまたがるように装着され、施設Ａ内に３８個のサーバ・ラックを収容するために十分なサイズ及び空気循環能力である接した筐体１２２を確立することが可能である。加えて、時間とともに、モジュラ型要素は、この施設で必要なコンピューティング容量が増加する場合にデータ・センタでデータ・センタ列インフラストラクチャ・モジュール１２０へ追加されることが可能であり、モジュールは、施設で必要なコンピューティング容量が減少する場合に、データ・センタでデータ・センタ列インフラストラクチャ・モジュール１２０から除去され、移動させられることが可能である。
【００４７】
図２Ａ〜Ｂは、いくつかの実施形態により１つ以上のデータ・センタ列インフラストラクチャ・モジュールの断面図を説明する概略図である。
【００４８】
図２Ａは、図１で示されるように、筐体空間１２２を介してデータ・センタ列インフラストラクチャ・モジュール１２０の断面を有するデータ・センタ１００の断面図１５０を説明する。図示された断面図は、列インフラストラクチャ・モジュール１２０の筐体空間１２２及び冷却空気プレナム１４４内に含まれた要素、筐体空間内に挿入された１以上の列１２３のラック１２４、ならびにラック１２４内に装着されたコンピュータ・システムへ吸気を供給する筐体空間１２２への空気の誘導を説明する。
【００４９】
図１を参照して上記で説明されるように、データ・センタ１００は、エア・ハンドリング・システム１１０の排気口から延伸する１つ以上の排気口コンジット１１６を介してデータ・センタ列インフラストラクチャ・モジュール１２０の冷却空気プレナム１４４へ空気を誘導することが可能である、システム１１０として図２Ａで図示された、エア・ハンドリング・システムを含むことが可能である。エア・ハンドリング・システム１１０は、コンジット１１６を介して空気を供給する空気移動デバイスを含むことができる。いくつかの実施形態において、エア・ハンドリング・システム１１０は、別個のソースからの空気を含む空気を供給する。たとえば、エア・ハンドリング・システム１１０は、１つ以上の供給ベント２０２を介して、周囲環境を含む、外部環境からの空気を収容することができる。少なくともいくらかの収容された空気は、機械的な冷却システム、気化冷却システム、断熱冷却システム、フリークーリング・システム、いくつかのそれらの組み合わせ、または同様のものを含む、エア・ハンドリング・システム１００内に含まれることができる１つ以上のさまざまな空気冷却システムの操作を介して冷却されることができる。
【００５０】
いくつかの実施形態において、少なくともいくらかの排気は、エア・ハンドリング・システム１１０に収容され、他のソースからの空気と混合され、１つ以上のコンジット１１６を介して列インフラストラクチャ・モジュール１２０へ提供される混合された空気を供給することが可能である。たとえば、内部空間排気プレナム１０８内の少なくともいくらかの排気循環は、１つ以上のベント２０４、再循環コンジットなどを介して、エア・ハンドリング・システム１１０へ誘導されることができる。
【００５１】
周囲空気、再循環された排気、及び混合された空気内に含まれた少なくともいくらかの空気の冷却の混合比のうちの１つ以上は、コンジット１１６を介して供給された冷却空気の１つ以上の目標特性に少なくとも部分的に基づくことができる。たとえば、コンジット１１６を介して供給された冷却空気内へ少なくともベント２０２を介して収容された周囲空気と混合されるコンジット１１４を介する排気の流量は、１つ以上のダンパ、空気移動デバイスなどの調整可能な制御を介して制御され、１つ以上の所定の値の範囲内で、温度、湿球温度、相対湿度などを含む、冷却空気の１つ以上の特性を維持することができる。
【００５２】
図２Ａで示されるように、データ・センタ列インフラストラクチャ・モジュールの冷却空気プレナム１４４内へ収容された冷却空気２１０は、プレナム１４４の少なくとも１部を介して誘導される。示されるように、プレナム１４４は、１つ以上のプレナム・モジュール１４０に少なくとも部分的に基づき確立されることが可能である。図示された実施形態において、たとえば、モジュール１２０は、プレナム１４４の少なくとも側部及び底端部を各々確立する４個のプレナム・モジュール１４０を含む。各プレナム・モジュール１４０は、接した筐体１２２の１部の頂端部を確立することに加えて、接した筐体１２２からプレナム１４４を分離させ、プレナム１４４のうちの１部の少なくとも１つの底端部を確立する底部１４１を含む。いくつかの実施形態において、モジュール１２０内のプレナム・モジュール１４０のうちの１つ以上は、コンジット１１６の排気口から接した筐体１２２の少なくとも１部内へプレナム１４４を介して誘導されている冷却空気２１０の少なくとも１部を誘導することが可能である１つ以上のベント１４２を含む。接した筐体１２２内へ誘導された空気は、以下で「吸気」とする。示されるように、プレナム１４４を通過する冷却空気の部分は、それぞれのベント１４２により、吸気２１４としてプレナム１４４から外へ及び接した筐体１２２内へ誘導されることが可能である。この吸気２１４は、ベント１４２にわたりプレナム１４４から少なくとも接した筐体１２２への圧力勾配、空気密度勾配、いくつかのそれらの組み合わせ、または同様のもののうちの１つ以上を介して筐体内へ誘導されることができる。いくつかの実施形態において、１つ以上のベント１４２は、プレナム１４４から接した筐体１２２内へ空気を供給するように動作する空気移動デバイスを含む。
【００５３】
いくつかの実施形態において、及び図示された実施形態において示されるように、１つ以上のプレナム・モジュール１４０は、１つ以上の支持アーム構造２１２上に装着されることができる。これらの支持アーム構造は、１つ以上の自立排気プレナム構造１３０内に含まれることができる。図示された実施形態において、各自立排気プレナム構造１３０は、接した筐体１２２に面する構造１３０の表面から延伸する２つの支持アーム構造２１２を含み、各プレナム・モジュール１４０は、所与の自立排気プレナム構造の少なくとも２つの支持アーム構造２１２上に装着されるため、プレナム・モジュールは、支持アーム構造２１２の上面上に少なくとも部分的に載り、それが載る支持アーム構造２１２を介して自立排気プレナム構造１３０へその構造上の負荷の少なくとも１部を伝達する。
【００５４】
示されるように、吸気２１４は、ベント１４２を介してプレナム１４４から筐体空間１２２内へ降下することができる。筐体空間は、１列以上の列１２３のラック１２４を含み、図示された列１２３のラックの後端部は、空間１２２内に面する図示された自立排気プレナム構造１３０の表面に当接する。吸気２１４は、１つ以上のラック１２４内に挿入されたコンピュータ・システム（図示せず）内に収容されることができる。筐体空間１２２内に面する自立排気プレナム構造１３０の表面は、１つ以上の内部排気プレナムを含む、自立排気プレナム構造１３０の１つ以上の内部を実質的に囲む１つ以上の壁要素２２０を含み、これらの内部を筐体空間１２２から仕切り、筐体空間１３０内に面する構造１３０の表面を介して自立排気プレナム構造１３０の内部から筐体空間１３０内へ直接に空気が移動することを妨げる。たとえば、自立排気プレナム構造１３０の内側部内の排気プレナムは、筐体空間の空気圧より高い空気圧であることができ、壁要素２００は、排気が筐体空間１２２内へ入り直接戻ることを妨げることができる。いくつかの実施形態において、ラック１２４の後端部は、筐体空間１２２内に面する自立排気プレナム構造１３０の表面に当接し、ラック１２４のうちの１つ以上の後端部は、筐体空間１２２内に面する自立排気プレナム構造１３０の表面内の１つ以上の間隙２３０に当接することができるため、ラック１２４の後端部を介して、ラック内に挿入されたコンピュータ・システムから放出された排気は、自立排気プレナム構造のうちの１つ以上の内側部内へ入ることが可能である。１つ以上のガスケット・コンポーネントを含む密封要素は、ラック１２４及び壁要素２２０間の境界面に装着され、筐体空間１２２内への排気の漏れを少なくとも部分的に軽減することができる。
【００５５】
図２Ｂは、図１で示されるように、筐体空間１２２の１つの側部上に装着された少なくとも１セットの自立排気プレナム構造１３０の排気プレナム１３２を介してデータ・センタ列インフラストラクチャ・モジュール１２０の断面を有するデータ・センタ１００の断面図１６０を説明する。図示された断面図は、列インフラストラクチャ・モジュール１２０の自立排気プレナム構造１３０内に含まれた少なくともいくつかの要素、データ・センタ列インフラストラクチャ・モジュール１２０の外部の内部空間１０６内に含まれた内部排気プレナム１０８、ならびにプレナム１３２を介して、モジュール１２０から外へ、及びデータ・センタ１００の排気プレナム１０８の少なくとも１部を介する排気の流れを説明する。
【００５６】
図２Ｂで示されるように、排気２４０は、１つ以上の自立排気プレナム構造１３０の内部排気プレナム１３２内へ収容されることが可能である。排気は、上記で考察されるように、ラック１２４のうちの１つ以上の後端部に面する壁要素２２０内の１つ以上の間隙２３０を介してプレナム１３２内へ収容されることが可能である。プレナム１３２内に収容された排気２４０は、自立排気プレナム構造の包含されない頂端部を、図２Ｂで示されるように、含むことが可能である、自立排気プレナム構造の１つ以上の排気ベントを介して、自立排気プレナム構造１３０から外へ、及び列インフラストラクチャ・モジュール１２０から外へ誘導されることができる。いくつかの実施形態において、自立排気プレナム構造の排気ベントは、構造１３０のプレナム１３２から排気を除去するように動作する１つ以上の空気移動デバイスを含むことが可能である。
【００５７】
自立排気プレナム構造１３０は、この構造１３０の内部筐体を確立する１つ以上のフレーム部材２３２、２３４を含むことが可能であり、１つ以上の壁要素２２０、２３６は、構造１３０の内部空間を少なくとも部分的に囲み、内部排気プレナム１３２を確立することが可能である。１つ以上のフレーム部材２３２、２３４は、内部空間を集合的に包含する自立フレームを確立し、自立排気プレナム構造１３０の外形を画定するように結合されることが可能である。そこでフレームは、複数のフレーム部材を含み、これらの部材は、ボルト締め、溶接、リベット打ちなどを有する、１つ以上の既知の結合方法を介して共に結合されることができる。１つ以上のフレーム部材は、この構造を介して垂直に延伸するポスト部材２３２を含むことができ、フロア要素へこの構造の構造上の負荷の少なくともいくらかを伝達することが可能である。１つ以上のフレーム部材は、この構造へ少なくともいくつかの横方向の構造上の支持を提供するブレース部材２３４を含むことができる。
【００５８】
いくつかの実施形態において、自立排気プレナム構造１３０は、自立排気プレナム構造の１つ以上の表面の１部上に１つ以上のフレーム部材２３２、２３４に結合された１つ以上の壁要素２２０、２３６を含む。たとえば、壁要素２２０、２３６は、自立排気プレナム構造１３０の表面の限定された１部を被覆することができるため、間隙２３０は残り、これを通して排気２４０を１つ以上の廃熱源から自立排気プレナム構造１３０の内部排気プレナム１３２内へ収容することができる。別の間隙は、自立排気プレナム構造の表面の上部に結合された壁要素２３６内に存在することができるため、自立排気プレナム構造の内部排気プレナムを介して循環する少なくともいくらかの排気は、この間隙内に装着された１つ以上のベントを介して別の外部プレナムへ再誘導されることが可能である。いくつかの実施形態において、複数のタイプの壁要素は、自立排気プレナム構造の１つ以上の表面に結合されることができる。たとえば、断熱材料を含む１つ以上の壁要素２３６は、自立排気プレナム構造の表面の上部に結合されることができるため、壁要素は、内部排気プレナムを介して循環する排気から自立排気プレナム構造の外部の１つ以上の空気プレナム１４４への伝熱を軽減し、断熱材料が実質的にない１つ以上の壁要素２２０は、筐体空間１２２に面する自立排気プレナム構造の同じ表面の下部に結合されることができる。
【００５９】
いくつかの実施形態において、排気２４０は、１つ以上の自立排気プレナム構造１３０のプレナム１３２から外へ誘導され、列インフラストラクチャ・モジュール１２０を出ることが可能である。モジュールを出る排気は、データ・センタ１０８の排気プレナム１０８内に入ることができる。いくつかの実施形態において、プレナム１０８は、データ・センタの内部空間１０６の上部を含む。いくつかの実施形態において、プレナム１０８は、内部１０６をプレナム１０８から分離させる天井要素１０９により下端部上に接する別個の筐体である。排気２４０は、プレナム１０８内への排気の流量を調整するように制御されることが可能である１つ以上の調整可能なダンパを含むことができる、１つ以上のベント２４２を介して天井要素１０９を通りプレナム内に入ることができる。
【００６０】
いくつかの実施形態において、プレナム１０８は、１つ以上のベント２０６を介して、周囲環境を有する、プレナム１０８から外へ、及び外部環境へ少なくともいくらかの排気を移動させることが可能である、１つ以上の空気移動デバイスを含むことが可能である、エア・ハンドリング・システム２０８を含むことが可能である。いくつかの実施形態において、プレナム１０８内の少なくともいくらかの排気２７０は、１つ以上のエア・ハンドリング・システム１１０へ、１つ以上のベント２０４、再循環コンジット１１４などを介して、再循環され、周囲空気、冷却空気などを含む他の空気と混合され、冷却空気として１つ以上の列インフラストラクチャ・モジュール１２０に供給されて戻ることが可能である。
【００６１】
図３は、いくつかの実施形態によるデータ・センタ列インフラストラクチャ・モジュールの１部の断面図である。データ・センタ３００は、内部筐体空間３０２、フロア要素３０６、及び内部筐体空間排気プレナム３０４を含む内部筐体空間３０２の上部を備える筐体を含む。排気プレナム３０４は、内部筐体空間３０２内に装着された、さまざまなコンポーネント、モジュールなどから放出された排気３９０を収容することが可能である。
【００６２】
データ・センタ３００は、データ・センタ列インフラストラクチャ・モジュール３０１を含む。データ・センタ列インフラストラクチャ・モジュール３０１は、少なくとも１部のフロア要素３０６上の内部筐体空間３０２内に装着される。
【００６３】
以下でまた「モジュール３０１」とする、データ・センタ列インフラストラクチャ・モジュール３０１は、少なくとも図示された構造３１０及びモジュール３３０を含む、モジュール３０１のさまざまなモジュラ型要素に少なくとも部分的に接する筐体空間３１２を含む。筐体空間３１２は、以下で「接した筐体３１２」とし得る。接した筐体３１２は、いくつかの実施形態において、コンピュータ・システム（図示せず）を挿入するラック３１４を含む１つ以上の発熱コンポーネントを含み、そこでコンピュータ・システムは、１つ以上の発熱コンポーネントを含む。コンピュータ・システムは、それらの内で発熱コンポーネントからの熱を除去するために冷却空気を必要とするため、コンピュータ・システムから熱を除去し、過熱から繊細なコンポーネントへの悪影響のリスクを軽減することができる。コンピュータ・システムは、配電インフラストラクチャ、通信インフラストラクチャなどを含む、通常の操作のためのさまざまなインフラストラクチャ要素を必要とする可能性がある。
【００６４】
いくつかの実施形態において、モジュール３０１は、接した筐体３１２へ空気を供給して、接した筐体３１２内に装着された１つ以上の発熱コンポーネントから熱を除去するように構成される。いくつかの実施形態において、このような熱除去用の空気を収容する接した筐体は、「コールド・アイル」、「コールド・アイル空間」などとされる。接した筐体は、ラック３１４を含むさまざまなコンポーネントを装着するフロア空間（たとえば、「アイル」）の長さを有することができる。ラック３１４は、接した筐体３１２のさまざまな部分内の１つ以上の列内に装着されることができる。示されるように、ラック３１４は、接した筐体３１２の対向側部上に装着されることができる。いくつかの実施形態において、ラック３１４は、接した筐体３１２内へそれぞれのラック３１４の前端部、及び接した筐体３１２から離れてそれぞれのラック３１４の後端部を位置決めするように装着される。いくつかの実施形態において、ラック３１４内に装着されたデバイスは、ラックの前端部を介する熱除去用の吸気３４２を収容し、ラックの後端部を介してデバイスの１つ以上の発熱コンポーネントから少なくともいくらかの熱を除去している排気を放出するように構成される。このようにして、吸気は、接した筐体３１２の内部からラック内へ収容されることが可能であり、排気は、接した筐体３１２から外へ放出されることが可能である。
【００６５】
いくつかの実施形態において、データ・センタ列インフラストラクチャ・モジュール３０１内で展開された、自立排気プレナム構造３１０、プレナム・モジュール３３０などを含む複数のモジュラ型要素の数は、データ・センタ３００の要求に基づき選択されることができる。たとえば、施設Ａ内のデータ・センタが３８個のサーバ・ラックを必要とする場合に、施設Ａは、８個の自立排気プレナム構造３１０及び４個のプレナム・モジュール３３０を提供することができ、８個の自立排気プレナム構造は、空間の対向側部上に挿入されることが可能であり、プレナム・モジュールは、対向する自立排気プレナム構造間にまたがるように装着され、施設Ａ内に３８個のサーバ・ラック３１４を収容するために十分なサイズ及び空気循環能力である接した筐体３１２を確立することが可能である。加えて、時間とともに、モジュラ型要素は、施設で必要なコンピューティング容量が増加する場合にデータ・センタ３００でデータ・センタ列インフラストラクチャ・モジュール３０１に追加されることが可能であり、モジュールは、施設で必要なコンピューティング容量が減少する場合にデータ・センタ３００でデータ・センタ列インフラストラクチャ・モジュール３０１から除去され移動させられることが可能である。
【００６６】
いくつかの実施形態において、少なくともいくつかの接した筐体３１２は、モジュール３０１の１つ以上モジュラ型要素により確立される。たとえば、図示されるように、少なくとも２つの自立排気プレナム構造３１０は、フロア要素３０６上のデータ・センタ３００の内部空間３０２内に装着され、自立排気プレナム構造３１０は、フロア３０６上に装着され、接した筐体の側端部を確立することが可能である。これらの構造３１０は、離隔した構成内に装着されることが可能であり、これらの構造は、フロア要素の空間３０３の対向側部上に装着される。図１を参照して上記で図示されるように、モジュール３０１は、空間３０３の対向側部沿いに各々延伸する少なくとも２セットの複数の構造３１０を有することができる。そこで複数の構造３１０は、空間３０３の各々の対向側部上で共に結合され、それぞれのセットの構造３１０を確立し、２セット以上の構造３１０は、空間３０３の特定の軸３０５に関して実質的に平行に延伸することができる。たとえば、そこで空間３０３は、フロア要素３０６の実質的に矩形部分を含み、図３の空間３０３の説明は、空間（図示せず）の垂直長さより短い空間の幅であり、空間の長さ沿いに延伸する軸３０５は、空間の長軸を有することができるため、空間の対向端部上に装着された構造３１０は、長軸３０５に関して実質的に平行に延伸し、空間３０３の側端部を確立する。いくつかの実施形態において、空間３０３の側端部を確立することは、接した筐体３１２の側端部を少なくとも部分的に確立することを備える。
【００６７】
いくつかの実施形態において、接した筐体３１２の頂端部は、プレナム・モジュール３３０により少なくとも部分的に確立される。示されるように、プレナム・モジュール３３０は、内部筐体空間３０２内に装着され、空間３０３の対向側部上に装着された別個の自立排気プレナム構造３１０の別個の支持アーム構造３２５の少なくとも１部上に載る。モジュール３３０は、パネル要素３３２、ベント３３３などを備えることができる。パネル要素３３２は、ベント３３３を越える表面間の気流を制限する下面及び上面を含むことができる。結果として、いくつかの実施形態において、プレナム・モジュール３３０は、空間３０３の対向側端部上にそれら自体を装着される別個の自立排気プレナム構造３１０に結合され、冷却空気プレナム３４０を含むことが可能である、接した筐体３１２の頂端部及び別の筐体の底端部を確立することが可能である。プレナム・モジュール３３０を自立排気プレナム構造３１０へ結合することは、構造３１０の１つ以上の支持アーム構造３２５上にプレナム・モジュール３３０を装着することを備えることが可能であり、そこでプレナム・モジュール３００は、支持アーム構造の、上面を含む、１つ以上の表面上に載り、支持アーム構造３２５を介して少なくとも１部の構造３１０にプレナム・モジュール３３０の構造上の負荷の少なくとも１部を伝達することができる。
【００６８】
いくつかの実施形態において、モジュール３０１は、接した筐体３１２へ空気を誘導して吸気を接した筐体へ供給する、接した筐体３１２から空気を誘導して接した筐体から排気を除去する、いくつかのそれらの組み合わせをする、または同様のものをする、さまざまなプレナムを含む。図示された実施形態において、プレナム・ダクト３３７は、別個の自立排気プレナム構造３１０に結合され、吸気３４２として接した筐体３１２内へ空気を誘導可能な、冷却空気プレナム３４０を含むことが可能である、筐体の頂端部を確立することが可能である。示されるように、冷却空気プレナム３４０の少なくともいくつかの端部は、プレナム・モジュール３３０、自立排気プレナム構造３１０、プレナム・ダクト３３７などにより確立されることが可能である。いくつかの実施形態において、そこでプレナム・モジュール３３０は、プレナム３４０の頂端部、底端部、及び側端部を確立する筐体構造を有し、プレナム・ダクト３３７は、モジュール３０１から省かれることができる。図示された実施形態において、冷却空気プレナム３４０は、プレナム・ダクト３３７の下面、プレナム・モジュール３３０の上面、及び空間３０３内に面する自立排気プレナム構造３１０の表面の上部を介して確立される。このような表面は、それぞれの構造３１０の以下で「筐体表面」とする。
【００６９】
いくつかの実施形態において、冷却空気は、冷却空気プレナム３４０内に収容され、冷却空気プレナム３４０の少なくとも１部を介して循環する。冷却空気は、１つ以上のベント３３３を介して吸気３４２としてプレナム３４０から接した筐体３１２内に誘導されることが可能である。いくつかの実施形態において、１つ以上のベント３３３は、調整可能に制御可能であり、少なくとも１部の接した筐体内で吸気の流量を調整可能に制御することができる１つ以上のダンパを含む。いくつかの実施形態において、冷却空気は、圧力勾配、空気密度勾配、それらのいくつかの組み合わせ、または同様のものを含む、プレナム３４０から筐体３１２への１つ以上の勾配を介してベントを通して誘導される。
【００７０】
いくつかの実施形態において、モジュール３０１内の自立排気プレナム構造３１０の１つ以上は、１つ以上のフレーム部材からなる自立フレームを含む。図示された実施形態において示されるように、自立排気プレナム構造３１０は、垂直方向フレーム・ポスト部材３２２及びブレース・フレーム部材３２４を含むフレーム部材を含む。フレーム部材は、所与の構造３１０へ構造上の支持及び完全性を提供することが可能であり、構造３１０の構造上の外形を確立することが可能である。いくつかの実施形態において、構造３１０は、内部排気プレナム３２６を含む内部空間３２０を含む。プレナム３２６は、接した筐体３１２内に装着されたラック３１４の後端部からの排気を収容し、それぞれの自立排気プレナム構造３１０のそれぞれの筐体表面に当接することが可能である。排気３９０は、１つ以上の発熱コンポーネントを含む１つ以上のデバイスから収容されることが可能である。排気３９０は、少なくとも１部のラック３１４を通過していて、ラック３１４内に装着された１つ以上のデバイス内に含まれた発熱コンポーネントのうちの少なくとも１つからの熱を除去している吸気を含むことができる。
【００７１】
いくつかの実施形態において、自立排気プレナム構造３１０は、自立排気プレナム構造の１つ以上の表面の少なくとも１部を包含する１つ以上の壁要素を含む。図示された実施形態において、自立排気プレナム構造３１０の少なくとも筐体表面は、構造３１０の筐体表面のそれぞれの部分を包含する壁要素３２７、３２９を含む。壁要素３２７は、自立排気プレナム構造の筐体表面の少なくとも１部を包含し、接した筐体３１２から自立排気プレナム構造３１０の内部を仕切ることで、構造３１０の内部排気プレナム３２６から接した筐体３１２内へ排気流を制限する１つ以上の要素を含むことが可能である。いくつかの実施形態において、壁要素３２７は、１つ以上のラック３１４が自立排気プレナム構造３１０の筐体表面に当接する部分にプレナム・モジュール３３０を結合する自立排気プレナム構造３１０の部分から延伸する。自立排気プレナム構造３１０の筐体表面は、ラック３１４が筐体表面に当接する１つ以上の間隙３７０を含むことができるため、排気３９０は、ラック３１４の後端部から自立排気プレナム構造３１０のプレナム３２６内に入ることが可能である。１つ以上の密封要素は、近接構造３１０のラック３１４及び壁要素３２７間で結合され、壁要素３２７及びラック３１４の構造間の境界面を密封し、プレナム３２６から接した筐体３１２へ排気の漏れを少なくとも部分的に軽減する、防止するなどをすることができる。
【００７２】
壁要素３２９は、自立排気プレナム構造３１０の筐体表面の少なくとも１部を包含して、少なくとも冷却空気プレナム３４０から自立排気プレナム構造３１０の内部を仕切ることで、構造３１０の内部排気プレナム３２６から冷却空気プレナム内へ排気流を少なくとも部分的に制限することで、プレナム３２６から冷却空気プレナム３４０へ排気３９０の漏れを少なくとも部分的に軽減、防止などをして、プレナム３４０内の冷却空気と混合する、１つ以上の要素を含むことが可能である。いくつかの実施形態において、壁要素３２９は、１つ以上のプレナム・ダクトを自立排気プレナム構造３１０に結合する部分にプレナム・モジュール３３０を結合する自立排気プレナム構造３１０の部分から延伸する。自立排気プレナム構造３１０の筐体表面は、１つ以上の間隙を含むことができるため、少なくともいくらかの排気は、プレナム３２６から入り、プレナム３４０内の冷却空気と混合し、混合された空気を供給することが可能である。間隙は、自立排気プレナム構造３１０の筐体表面内に装着された１つ以上のベントを含むことができ、このようなベントは、１セット以上の調整可能に制御可能なダンパを含むことができる。
【００７３】
いくつかの実施形態において、自立排気プレナム構造３１０は、自立排気プレナム構造３１０の内部排気プレナムからモジュール３０１の外部の環境へ排気３９０を誘導することが可能である、１つ以上の排気ベント３２８を含む。この外部環境は、内部空間３０２、内部空間排気プレナム３０４などを含むことが可能である。排気３９０は、プレナム３２６及び外部環境間の圧力勾配、空気密度勾配、煙突効果、それらのいくつかの組み合わせ、または同様のもののうちの１つ以上を介してベント３２８を通して誘導されることが可能である。
【００７４】
いくつかの実施形態において、モジュール３０１内の１つ以上の自立排気プレナム構造３１０は、複数の筐体表面を含む。各複数の筐体表面は、１つ以上の壁要素３２７、３２９、支持アーム構造３２５などを含むことが可能である。結果として、所与の自立排気プレナム構造３１０は、複数の空間３０３の１つの側部上に装着されることが可能であり、構造３１０の一方の表面は、一方の空間３０３に面し、対向する表面であってもよい、他方の表面は、他方の別個の空間３０３に面する。所与の構造３１０のプレナム３２６は、別個の接した筐体３１２内に各々装着される、２つ以上の別個のラック３１４からの排気を収容することができる。結果として、モジュール３０１は、１つ以上の構造３１０、モジュール３３０などに少なくとも部分的に各々接する、複数の接した筐体３１２を含むことができる。
【００７５】
いくつかの実施形態において、モジュール３０１は、１つ以上のインフラストラクチャ要素を支持する１つ以上の支持要素を含む。これらの支持要素は、モジュール３０１の１つ以上のさまざまなモジュラ型要素に結合されることができる、１つ以上のレール、トレー、バスウェイなどを含むことが可能である。図示された実施形態において、たとえば、プレナム・モジュール３３０は、１つ以上の電力バス、送電線、通信線、照明素子、センサなどを含む、インフラストラクチャの１つ以上の要素を支持することが可能である、支持トレー３３５及び複数のバスウェイ３３６を含む。
【００７６】
加えて、図示された実施形態は、自立排気プレナム構造３１０に支持アーム構造自体を結合される支持アーム構造３５２に結合される支持トレー３５４を説明する。それらのトレーは、１つ以上の電力バス、送電線、通信線、照明素子、センサなどを含む、インフラストラクチャの１つ以上の要素を支持することができる。トレー３５４、バスウェイ３３６、トレー３３５などのうちの１つ以上により支持された１つ以上のインフラストラクチャ要素は、接した筐体を介してルーティングされ、ラック３１４内に挿入されたさまざまなコンピュータ・システムに少なくとも１部のインフラストラクチャ支持を提供する要素を含むことができる。たとえば、トレー３５４は、接した筐体を介して、送電線、バスなどをルーティングし、ラック３１４内に挿入されたコンピュータ・システムに配電支持を提供することができ、バスウェイ３３６は、接した筐体３１２を介してネットワーク通信ケーブルを含む、１つ以上の通信線をルーティングし、１つ以上の通信ネットワークとラック３１４内に挿入された１つ以上のコンピュータ・システムを通信可能に結合することができる。
【００７７】
図４は、いくつかの実施形態による１部のデータ・センタ列インフラストラクチャ・モジュールの断面図である。いくつかの実施形態において、データ・センタ列インフラストラクチャ・モジュール４０１は、データ・センタ４００の内部筐体空間４０２内のフロア要素４０６上に装着される。モジュール４０１は、１つ以上のラック４１４を装着する接した筐体４１２を少なくとも部分的に包含する、自立排気プレナム構造４１０及びプレナム・モジュール４３０を含む。
【００７８】
いくつかの実施形態において、プレナム・モジュール４３０は、冷却空気プレナム４４０から収容された冷却空気を１つ以上の自立排気プレナム構造４１０の１つ以上の内部排気プレナム４２６からの少なくともいくらかの排気４９０と混合することが可能である混合プレナム４３８を含む。１つ以上の支持アーム構造４２５上に装着することを介して自立排気プレナム構造４１０に結合されることができる、プレナム・モジュール４３０は、混合プレナム４３８の少なくとも底端部を確立するパネル要素４３２及び混合プレナム４３８の側端部を確立する側壁要素４３２を含むことができる。混合プレナム４３８の頂端部は、プレナム・モジュール４３０の１つ以上の構造要素により少なくとも部分的に包含されないことができるため、混合プレナム４３８の頂端部は、冷却空気プレナム４４０を含むことができる筐体４４０に少なくとも部分的に開口する。冷却空気プレナム４４０は、プレナム・ダクト４３７による頂端部、プレナム・モジュール４３８の１つ以上の部分、それらのいくつかの組み合わせ、または同様のもの上に接することができる。
【００７９】
冷却空気プレナム４４０から収容された冷却空気及び少なくとも１つの自立排気プレナム構造４１０の１つ以上のプレナム４２６から収容された少なくともいくらかの排気は、混合された空気をもたらすことが可能である。この混合された空気は、空気ベント構造４３１を介して、接した筐体４１２内に誘導されることが可能である。たとえば、図示された実施形態において、プレナム・モジュール４３０は、プレナム４３８の包含されない頂端部を介して冷却空気プレナム４４０から収容された冷却空気、及び１つ以上のプレナム４２６からの少なくともいくらかの再循環された排気４９０を混合して、パネル４３２内のベント構造４３９を介してパネル４３２を通して吸気４４２として接した筐体４１２に供給されることが可能である混合された空気を提供するように構成される、混合プレナム４３８を含む。ベント構造４３９は、吸気４４２として混合プレナム４３８から接した筐体４１２へ気流を誘導する１つ以上の空気移動デバイスを含むことが可能である。
【００８０】
いくつかの実施形態において、排気４９０は、プレナム・モジュール４３０の１つ以上の側壁部内に装着された１つ以上のベント４３１を介して混合プレナム４３８内に収容されることができる。ベント４３１は、プレナム・モジュール４３０を自立排気プレナム構造４１０の支持アーム構造４２５上に少なくとも部分的に装着するときに、混合プレナム４３８と少なくとも１つの自立排気プレナム構造４１０の内部排気プレナム４２６を連通可能に結合することが可能であり、そこで排気４９０は、ベント４３１を介して、及び混合プレナム４３８内に接した筐体４１２に面する自立排気プレナム構造４１０の筐体表面内の間隙を通して誘導され、冷却空気と混合されることが可能である。ベント４３１は、混合プレナム４３８内の排気流を制御するように調整されることが可能である１つ以上の調整可能なダンパを含むことができる。
【００８１】
いくつかの実施形態において、ベント４３１は、プレナム・モジュール４３０に隣接する１つ以上の自立排気プレナム構造４１０の筐体表面内に装着される。冷却空気を含むことが可能である、冷却空気プレナム４４０から混合プレナム４３８内に誘導された空気は、１つ以上のプレナム４２６から混合プレナム４３８内に誘導された排気と混合され、混合された空気を供給することができる。自立排気プレナム構造から混合プレナム４３８へベント構造４３９の調整可能なダンパは、混合プレナム４３８内の排気流を制御して、温度、相対湿度、湿球温度などのうちの１つ以上を含む、混合された空気の１つ以上の特定の特性を維持するように調整されることができる。
【００８２】
図５は、いくつかの実施形態による自立排気プレナム構造５００を説明する。
【００８３】
いくつかの実施形態において、自立排気プレナム構造５００は、自立フレーム５０３を含む。この自立フレーム５０３は、内部空間５１０を集合的に包含して自立排気プレナム構造５００の外形を画定する１つ以上のフレーム部材５０２、５０４、５０５を含むことが可能である。そこでフレーム５０３は、複数のフレーム部材５０２、５０４、５０５を含み、これらの部材５０２、５０４、５０５は、ボルト締め、溶接、リベット打ちなどを有する１つ以上の既知の結合方法を介して共に結合されることができる。１つ以上のフレーム部材は、構造を通して垂直方向に延伸するポスト部材５０２を含むことができ、フロア要素５２０に構造５００の少なくともいくらかの構造上の負荷を伝達することが可能である。１つ以上のフレーム部材は、構造５００に少なくともいくらかの構造上の支持を提供する、１つ以上の横方向ブレース部材５０４、角度ブレース部材５０５、それらのいくつかの組み合わせ、または同様のものを含むことができる。
【００８４】
いくつかの実施形態において、自立排気プレナム構造５００は、自立フレーム５０３の１つ以上のフレーム部材５０２、５０４、５０５に結合される１つ以上の壁要素５０８、５０９を含む。いくつかの実施形態において、１つ以上の壁要素５０８、５０９は、クラッディングを有し、クラッディングの対向する表面間の気流を制限することが可能である。いくつかの実施形態において、１つ以上の壁要素５０８、５０９は、１つ以上の壁要素５０８、５０９の別個の表面と連通する別個の環境間の伝熱を軽減する断熱材料を含む。いくつかの実施形態において、１つ以上の壁要素をフレーム部材５０２、５０４、５０５に結合することは、自立排気プレナム構造５００の１つ以上の表面の少なくとも１部を包含することを備えるため、自立排気プレナム構造５００の内部空間５１０は、プレナムを介して排気ベント５１４から外へ排気を収容して、誘導することが可能である内部排気プレナムを確立するように包含され、図示されるように、壁要素５０８、５０９により実質的に包含されない自立排気プレナム構造５００の頂部、自立排気プレナム構造のこの頂部上に設置されたベント構造などを含むことができる。
【００８５】
いくつかの実施形態において、壁要素５０８、５０９は、自立排気プレナム構造５００の１つ以上の表面の１部上で１つ以上のフレーム部材５０２、５０４、５０５に結合される。たとえば、図示されるように、壁要素５０８、５０９は、自立排気プレナム構造５００の表面の限定された部分を被覆することができるため、間隙５１２は残り、これを通して１つ以上の廃熱源から自立排気プレナム構造５００の内部排気プレナム５１０内へ排気を収容することができる。別の間隙は、自立排気プレナム構造の表面の上部に結合された壁要素内に存在することができるため、自立排気プレナム構造の内部排気プレナムを介して循環する少なくともいくらかの排気は、間隙内に装着された１つ以上のベント５１６を介して別の外部プレナムに再誘導されることが可能である。
【００８６】
いくつかの実施形態において、１つ以上の壁パネル要素５９０は、自立排気プレナム構造５００の１つ以上の部分に結合され、間隙５１２の少なくとも１部を囲む。パネル要素５９０は、内部プレナム５１０から空間５０１を仕切ることが可能であり、一般的に間隙に近接して装着された廃熱源がない空間の間の不要な気流を抑制することが可能である。たとえば、ラックが間隙５１２の１部に当接するように装着されるときに、ラック及び構造５００間の境界面をさまざまな密封要素を介して密封することが可能であるため、空気は、ラックの内部を通過しないで、プレナム５１０から空間５０１へ、または空間５０１からプレナム５１０へ流れない。取外し可能なパネルにより可能な気流の一般的な抑制は、パネル５９０、壁要素５０８、フレーム５０３などのうちの１つ以上の構造の製造公差内の間隙５１２の１部を囲むパネルを含むことが可能であり、そこで空間５０１及びプレナム５１０間の圧力差を維持することを可能にするように気流を十分に抑制するが、囲まれた部分にわたる空気漏れは、発生する可能性がある。そこで廃熱源は、間隙の１部に当接する空間５０１内に装着されず、壁パネル要素５９０は、フレーム構造５０３に結合され、間隙５１２のその特定の部分を囲むことで、空間５０１からプレナム５１０内へ廃熱源を介して流れない空間５０１及びプレナム５１０間の気流を妨げることが可能である。壁パネル要素５０９は、構造５０３に取り外し可能に結合されることが可能であるため、プレナム５１０は、間隙に当接する廃熱源がない場合に空間５０１から仕切られることが可能であり、間隙５１２は、廃熱源を空間５０１内に挿入するときに構造５００の表面内に確立されることが可能であるため、廃熱源は、確立された間隙５１２に当接し、確立された間隙５１２を介してプレナム５１０内へ排気を放出することが可能である。
【００８７】
いくつかの実施形態において、複数のタイプの壁要素は、自立排気プレナム構造の１つ以上の表面に結合されることができる。たとえば、断熱材料を含む１つ以上の壁要素５０９は、冷却空気プレナムに面する自立排気プレナム構造の表面の上部に結合されることができるため、壁要素は、内部排気プレナム５１０を介して循環する排気から自立排気プレナム構造５００の外部の１つ以上の空気プレナムへの伝熱を軽減し、断熱材料が実質的に使われていない１つ以上の壁要素５０８は、接した筐体に面する自立排気プレナム構造の同じ表面の下部に結合されることができる。
【００８８】
いくつかの実施形態において、壁要素は、自立フレーム５０３内のフレーム部材のさまざまな側部上に結合される。たとえば、図示された実施形態において、壁要素５０８、５０９は、自立フレーム５０３の外側部に結合されるため、少なくとも垂直方向の部材５０２は、壁要素５０８、５０９及び内部プレナム５１０間にある。いくつかの実施形態において、クラッディング要素、断熱要素などを含む、１つ以上の壁要素は、自立フレーム５０３の内側部に結合されるため、壁要素は、少なくともいくつかのフレーム部材５０２及び内部プレナム５１０間に位置決めされる。別個の壁要素は、自立フレーム５０３の内側部及び外側部上に結合されることができるため、「外側壁要素」とされるフレームの外側部に結合されたいくつかの壁要素、及び「内側壁要素」とされるフレームの内側部に結合されたいくつかの壁要素は、これら２つの要素間に間隙を確立する。
【００８９】
いくつかの実施形態において、自立支持構造５００は、以下でまた支持「アーム」とされ、１つ以上のフレーム部材５０２、５０４、５０５を含む、構造５００の１つ以上の部分に結合される、１つ以上の支持アーム構造５１８を含む。各アーム５１８は、フレーム部材のうちの１つ以上に結合されることができるため、アームの少なくとも１部は、自立排気プレナム構造５００の表面から外方向に延伸する。たとえば、図示された実施形態において、アーム５１８は、特定の空間５０１に面する自立排気プレナム構造５００の表面の１部を各々画定するポスト部材５０２に結合され、アーム５１８は、自立排気プレナム構造の少なくとも１つの表面に実質的に垂直であり、空間５０１内に延伸する方向内に自立構造５００のポスト部材５０２及び筐体５１０から離れて延伸することができる。各アーム５１８は、いくつかの実施形態において、構造上の負荷を支持し、少なくとも１部の自立排気プレナム構造５００へこの負荷の少なくとも１部を伝達することが可能であるため、少なくとも１部の自立排気プレナム構造５００は、アーム５１８により支持された構造上の負荷を支持する。
【００９０】
図示された実施形態を含む、いくつかの実施形態において、１つ以上のアームは、１つ以上のトレーを支持することが可能であり、これら自体は、１つ以上のインフラストラクチャ要素を支持することが可能である。挿入されることが可能なさまざまなインフラストラクチャ要素は、電力バス、送電線、配電ユニットなどを含む、配電インフラストラクチャを含むことが可能である。挿入されることが可能なさまざまなインフラストラクチャ要素は、照明コンポーネント、ネットワーキング・ケーブルを含む通信コンポーネントなどを含むことが可能である。このインフラストラクチャは、接した筐体内に装着された１つ以上の支持要素上に装着することを介して挿入されることができる。これらの支持要素は、１つ以上の自立排気プレナム構造、プレナム・モジュールなどに結合され、接した筐体を介してさまざまなインフラストラクチャ要素をルーティングすることができる、トレー、バスウェイなどを含むことができる。支持要素は、接した筐体内に挿入されるさまざまなラック内に挿入されたさまざまなコンピュータ・システムへルーティングされる、ケーブリング、伝送路などを含む、電力及び通信インフラストラクチャの１つ以上の要素を支持することができる。
【００９１】
いくつかの実施形態において、１つ以上の支持アーム構造５１８は、１つ以上の上面を含む、これらのアームの１つ以上の表面上に１つ以上の密封要素を含む。１つ以上の発泡密封要素、ガスケット要素などを含むことが可能である、密封要素は、アーム５１８、及びシールを含むアームの表面上に装着された１つ以上の要素間の１つ以上の境界面を密封することが可能である。たとえば、そこでアーム５１８は、アーム５１８の上面上に密封要素を含み、プレナム・モジュールは、アーム５１８上に装着されるため、プレナム・モジュールの下面は、アーム５１８の上面上に載り、発泡シールは、プレナム・モジュール及びアーム５１８の上面間の境界面を密封して、この境界面を介して、気流、空気漏れ、及び同様のものを少なくとも部分的に、軽減する、制限する、不可能にする、などが可能である。いくつかの実施形態において、密封要素は、自立排気プレナム構造の表面から離れて延伸する支持アーム構造の１つ以上の端部上にＬ溝要素を含み、Ｌ溝要素は、プレナム・モジュールの底面及び側面の１部を収容し、アーム５１８及びプレナム・モジュール間の境界面を密封することが可能である。
【００９２】
いくつかの実施形態において、自立排気プレナム構造５００は、内部筐体空間内に装着されるように構成される。この内部筐体空間は、フロア５２０、天井排気プレナム、エア・ハンドリング・システムなどを含む、倉庫構造を含む、包含された内部空間を含むことができる。自立排気プレナム構造５００は、フロア要素５２０に結合され、コールド・アイル空間を含み、コールド・アイル空間の少なくとも１軸に実質的に平行に延伸する、内部筐体内に接した筐体の少なくとも１つの側部を確立することができる。
【００９３】
いくつかの実施形態において、１つ以上の自立排気プレナム構造５００は、他の要素と結合する前に、データ・センタの現地に出荷され、１つ以上のプレナム・モジュールを含み、現地でデータ・センタ列インフラストラクチャ・モジュールを確立する。各自立排気プレナム構造５００またはそれらの部分は、セミトレーラ上でのような、別々に輸送されることができる。特定の実施形態において、しかしながら、自立排気プレナム構造５００のすべてのまたはいくつかの部分は、データ・センタの現地で組み立てられることができる。たとえば、自立排気プレナム構造５００及びプレナム・モジュールは、現地で共に結合され、列インフラストラクチャ・モジュールを確立することができ、ラックは、列インフラストラクチャ・モジュール内に挿入されることができる。
【００９４】
いくつかの実施形態において、構造５００をフロア５２０に結合することは、構造５００がフロアの上面上に載るように、フロア５２０上に構造５００を配置し、１つ以上の結合要素、ボルト、溶接など、それらのいくつかの組み合わせ、または同様のものを介してフロアに構造を固定することを備えることが可能である。
【００９５】
いくつかの実施形態において、自立排気プレナム構造５００内に含まれた１つ以上のコンポーネントは、棚システムのために利用されることが可能なコンポーネントを含む。たとえば、自立排気プレナム構造５００のフレーム５０３は、自立パレット棚ラックを含むことが可能である。パレットを格納して積み重ねるために利用されるような、自立パレット棚ラックは、構造の内部を介して複数の横方向ブレース部材５０４及び角度ブレース部材５０５を含み、棚を提供してパレットを支持することができる。自立排気プレナム構造５００は、いくつかの実施形態において、複数の横方向ブレース部材を除去して構造５００の内部５１０を広げ、内部排気プレナム５１０を含む、自立パレット棚ラックを含み、１つ以上の壁要素５０８、５０９は、構造５００の１つ以上の表面に結合され、内部排気プレナム５１０などを少なくとも部分的に包含する。
【００９６】
別の実施例において、自立排気プレナム構造５００の１つ以上の支持アーム構造５１８は、ドライブスルー・パレット棚システムの支持アームを含むことができる。パレットを格納して積み重ねるために利用されるような、ドライブスルー・パレット棚システムは、自立排気プレナム構造を含まないことができ、フロア要素にボルトで固定され、ポスト間の空間内に延伸する１つ以上の支持アーム構造を各々含む、複数の特定の離隔した垂直方向のポストを含むことができ、そこでパレットは、空間内で移動させられ、複数のポストから共通空間内に延伸する複数の支持アーム構造上に載るように持ち上げられることが可能である。ドライブスルー・パレット棚システムにおいて、パレットは、フォークリフト車により移動させられ持ち上げられることができる。自立排気プレナム構造５００は、いくつかの実施形態において、自立排気プレナム構造５００の１つ以上のフレーム部材５０２、５０４、５０５に結合されるドライブスルー・パレット棚システムの１つ以上の支持アーム構造５１８を含む。いくつかの実施形態において、自立排気プレナム構造５００の少なくとも１部は、フレーム部材及び支持アーム構造を含む、別個の棚システムの選択された要素の結合を介して組み立てられることが可能である。
【００９７】
図６は、いくつかの実施形態によるプレナム・モジュールの透視図である。
【００９８】
いくつかの実施形態において、プレナム・モジュールは、接した筐体の対向側部上で少なくとも２つの自立排気プレナム構造間に装着されるように構成されるため、プレナム・モジュールは、これら２つの構造間に実質的にまたがり接した筐体の頂端部を確立する。そこで２つの構造は、コールド・アイル空間の対向端部上に設置され、プレナム・モジュールは、２つの構造間に装着されプレナム・モジュールの下面を介してコールド・アイル空間の頂端部を確立するように構成されることが可能である。プレナム・モジュールは、プレナム・モジュールの上面を含むことができる、プレナム・モジュールの別の表面を介して、冷却空気プレナムを含む、別の筐体の底端部を確立するように構成されることができる。接した筐体の対向側部上の２つの自立排気プレナム構造間にまたがる、プレナム・モジュールは、各構造の１つ以上の別個の支持アーム上に装着されるように構成されることができ、プレナム・モジュールの負荷の１部は、構造の一方により支持され、この負荷の別の部分は、構造の他方により支持される。
【００９９】
いくつかの実施形態において、プレナム・モジュールは、２つの自立排気プレナム構造間にまたがるように装着されるとき、冷却空気プレナム及び接した筐体を分離するパネル要素を備える。図示された実施形態において、たとえば、プレナム・モジュール６００は、プレナム・モジュール６００が別個の自立排気プレナム構造のそれぞれの支持アーム構造上に装着されるときに、接した筐体の天井部を確立して冷却空気プレナムのフロアを確立するパネル要素６０２を含む。プレナム・モジュール６００は、冷却空気プレナムから接した筐体へパネル６０２を介して、冷却空気を含むことが可能である、空気を誘導して接した筐体に吸気を供給するように構成される１つ以上の空気ベント６０４を含むことが可能であるため、吸気を筐体空間内のラック内のコンピュータ・システムに供給して、これらのコンピュータ・システムから廃熱を除去する。ベント６０４は、接した筐体内で吸気の流量を制御するように調整されることが可能である１つ以上のダンパ６０６を含むことができる。
【０１００】
いくつかの実施形態において、プレナム・モジュールは１つ以上の支持トレーを含み、それら自体が１つ以上のインフラストラクチャ要素を支持することが可能である。トレーは、プレナム・モジュールに結合される、プレナム・モジュールから懸架などをされることができる。たとえば、図示された実施形態において、プレナム・モジュール６００は、要素６１２を結合する１つ以上の支持ケーブリング６１４を介してプレナム・モジュール６００のパネル６０２からプレナム・モジュール６００の耐荷重構造６１６に懸架される、構造要素６１２からなる支持トレー６１０を含む。このような支持トレー６１０の実施形態は、パネル６０２の下面により頂端部上に接する、接した筐体内にプレナム・モジュールから懸架するように構成されることが可能である。支持トレー６１０が支持することが可能である、さまざまなインフラストラクチャ要素は、電力バス、送電線、配電ユニット、照明コンポーネント、ネットワーキング・ケーブルを含む通信コンポーネントなどを含む配電インフラストラクチャを含むことが可能である。電力バス、伝送路、通信コンポーネントなどを含む、インフラストラクチャ要素の１つ以上の要素は、接した筐体内に挿入されるさまざまなラック内に挿入されたさまざまなコンピュータ・システムにルーティングされることが可能である。
【０１０１】
図７は、いくつかの実施形態によるプレナム・モジュールの概略図である。
【０１０２】
いくつかの実施形態において、プレナム・モジュールは、冷却空気プレナムから収容された冷却空気及び少なくとも１つの自立排気プレナム構造の内部排気プレナムから収容された少なくともいくらかの排気を混合して混合された空気を作り出す混合プレナムを確立する１つ以上の構造要素を含む。混合された空気は、空気ベントを介して接した筐体内に誘導されることが可能である。たとえば、図示された実施形態において、プレナム・モジュール７００は、内部空間を少なくとも部分的に囲むパネル要素７０２及び側壁部７０６、７０８を含む。この内部空間は、以下で「混合プレナム」７０４とし、このプレナムの包含されない頂端部を介して冷却空気プレナムから収容された冷却空気、及び少なくともいくらかの再循環された排気を混合して、パネル７０２内のベント構造７０３を介してパネル７０２を通り接した筐体に供給されることが可能である混合された空気を供給するように構成される。ベント構造７０３は、混合プレナム７０４から接した筐体へ気流を誘導する１つ以上の空気移動デバイス７２０を含むことが可能である。いくつかの実施形態において、プレナム・モジュールは、複数の空気移動デバイス７２０を含む。
【０１０３】
いくつかの実施形態において、排気は、プレナム・モジュール７００の１つ以上の側壁部７０８内に装着された１つ以上のベント７１０を介して混合プレナム７０４内に誘導されることができる。ベント７１０は、プレナム・モジュール７００が自立排気プレナム構造の支持アーム構造上に少なくとも部分的に装着されるときに混合プレナム７００と少なくとも１つの自立排気プレナム構造の内部排気プレナムを連通可能に結合することが可能であり、そこで排気は、ベント７１０を介して、混合プレナム７０４内へ接した筐体に面する自立排気プレナム構造の表面内の間隙を介して誘導され、冷却空気と混合されることが可能である。ベント７１０は、混合プレナム７０４内で排気流を制御するように調整されることが可能である１つ以上の調整可能なダンパ７１２を含むことができる。
【０１０４】
いくつかの実施形態において、ベント７１０は、プレナム・モジュール７００に隣接する自立排気プレナム構造の表面、この自立排気プレナム構造の表面内の間隙に隣接する混合プレナム７０４の側壁部７０８などの内に装着される。
【０１０５】
冷却空気を含むことが可能である、冷却空気プレナムから混合プレナム７０４内に誘導された空気は、混合プレナム７０４内に誘導された排気と混合され、混合された空気を供給することができる。自立排気プレナム構造から混合プレナムへベント７１０の調整可能なダンパ７１２は、混合プレナム内で排気流を制御し、温度、相対湿度、湿球温度などのうちの１つ以上を含む、混合された空気の１つ以上の特定の特性を維持するように調整されることができる。
【０１０６】
プレナム・モジュール７００の少なくとも混合プレナム７０４から１つ以上の列インフラストラクチャ・モジュールの１つ以上の接した筐体内に混合された空気を誘導することが可能である。そこで接した筐体は、フロア要素による底端部上に、自立排気プレナム構造による側端部上に、及びプレナム・モジュール７００による頂端部に接するコールド・アイル空間を有する筐体を含み、１つ以上のコンピュータ・システムを収容することが可能である１つ以上のラックを含み、混合された空気は、プレナム・モジュール７００の少なくとも１つの下面内の１つ以上のベント構造７０３を介して接した筐体内に誘導されることが可能であり、そこでプレナム・モジュールの上面は、混合プレナムの下端部に接することができ、空気が混合プレナム７０４から接した筐体内に流れることを可能にする。少なくとも混合プレナムから接した筐体内に誘導された空気は、接した筐体に関して「吸気」とされ得る。いくつかの実施形態において、そこでプレナム・モジュールのベント７０３は、１つ以上の空気移動デバイス７２０を含み、空気は、１つ以上の空気移動デバイス７２０の動作に少なくとも部分的に基づき接した筐体内に供給される。ベント構造７０３は、接した筐体内で吸気の流量を管理するように調整可能に制御されることができる１つ以上のダンパを含むことができる。
【０１０７】
いくつかの実施形態において、プレナム・モジュールは、１つ以上の支持トレーを含み、それら自体が１つ以上のインフラストラクチャ要素を支持することが可能である。トレーは、プレナム・モジュールに結合される、プレナム・モジュールから吊るされるなどをされることができる。たとえば、図示された実施形態において、プレナム・モジュール７００は、要素７３２を結合する１つ以上の支持ケーブリング７３４を介してプレナム・モジュール７００のパネル７０２から、プレナム・モジュール７００の耐荷重構造７３６へ懸架される構造要素７３２からなる支持トレー７３０を含む。このような支持トレー７３０の実施形態は、パネル７０２の下面により頂端部上に接する、接した筐体内のプレナム・モジュールから懸架するように構成されることが可能である。支持トレー７３０が支持することが可能である、さまざまなインフラストラクチャ要素は、電力バス、送電線、配電ユニット、照明コンポーネント、ネットワーキング・ケーブルを含む通信コンポーネントなどを含む、配電インフラストラクチャを含むことが可能である。電力バス、伝送路、通信コンポーネントなどを含む、インフラストラクチャ要素の１つ以上の要素は、接した筐体内に挿入されるさまざまなラック内に挿入されたさまざまなコンピュータ・システムにルーティングされることが可能である。
【０１０８】
図８は、いくつかの実施形態によりデータ・センタ内のデータ・センタ列インフラストラクチャ・モジュールを提供することを説明する。
【０１０９】
８００で、１つ以上の支持構造は、また以下で支持「アーム」とされ、自立フレームに結合される。この自立フレームは、内部空間を集合的に包含し、自立排気プレナム構造の外形を画定する１つ以上のフレーム部材を含むことが可能である。そこでフレームは、複数のフレーム部材を含み、これらの部材は、ボルト締め、溶接、リベット打ちなどを有する、１つ以上の既知の結合方法を介して共に結合されることができる。１つ以上のフレーム部材は、構造を介して垂直方向に延伸するポスト部材を含むことができ、フロア要素へこの構造の構造上の負荷の少なくともいくらかを伝達することが可能である。１つ以上のフレーム部材は、この構造へ少なくともいくつかの横方向の構造上の支持を提供するブレース部材を含むことができる。各アームは、フレーム部材のうちの１つ以上に結合されることができるため、少なくとも１部のアームは、自立排気プレナム構造の表面から外方向へ延伸する。たとえば、そこでアームは、自立排気プレナム構造の角部を画定するポスト部材に溶接され、このアームは、自立排気プレナム構造の少なくとも１つの表面に実質的に垂直である方向に自立構造のポスト部材及び筐体から離れて延伸できる。各アームは、いくつかの実施形態において、構造上の負荷を支持し、自立排気プレナム構造の少なくとも１部へこの負荷の少なくとも１部を伝達することが可能であるため、少なくとも１部の自立排気プレナム構造は、アームが支持する構造上の負荷を支持する。
【０１１０】
８０２で、１つ以上の壁要素は、自立フレームの１つ以上のフレーム部材に結合される。いくつかの実施形態において、１つ以上の壁要素は、クラッディングを含み、このクラッディングの対向する表面間の気流を制限することが可能である。いくつかの実施形態において、１つ以上の壁要素は、１つ以上の壁要素の別個の表面と連通する別個の環境間の伝熱を軽減する断熱材料を含む。いくつかの実施形態において、１つ以上の壁要素をフレーム部材に結合することは、自立排気プレナム構造の１つ以上の表面の少なくとも１部を包含することを備えるため、自立排気プレナム構造の内部空間は、空気プレナムを確立するように包含される。自立排気プレナム構造の内部内の空気プレナムは、前の図面で述べたように、壁要素により実質的に包含されない自立排気プレナム構造の頂部、この自立排気プレナム構造の頂部上に設置されたベント構造などを含むことができる、プレナムを介して、及び排気ポートから外へ排気を収容して誘導することが可能である排気プレナムを含むことが可能である。
【０１１１】
いくつかの実施形態において、壁要素は、自立排気プレナム構造の１つ以上の表面の１部上で１つ以上のフレーム部材に結合される。たとえば、少なくとも図２Ｂ及び図５〜６で図示されるように、壁要素は、自立排気プレナム構造の表面の限定された１部を被覆することができるため、間隙は残り、これを通して１つ以上の廃熱源から自立排気プレナム構造の内部排気プレナム内へ排気を収容することができる。いくつかの実施形態において、１つ以上の壁パネル要素は、自立排気プレナム構造の表面の限定された１部に結合され、この間隙を囲み、自立排気プレナム構造の表面内で囲まれた間隙を介して内部排気プレナム及び外部環境間の気流を一般的に抑制する。別の間隙は、自立排気プレナム構造の表面の上部に結合された壁要素内に存在することができるため、自立排気プレナム構造の内部排気プレナムを介して循環する少なくともいくらかの排気は、この間隙内に装着された１つ以上のベントを介して別の外部プレナムへ再誘導されることが可能である。いくつかの実施形態において、複数のタイプの壁要素は、自立排気プレナム構造の１つ以上の表面に結合されることができる。たとえば、断熱材料を含む１つ以上の壁要素は、自立排気プレナム構造の表面の上部に結合されることができるため、壁要素は、内部排気プレナムを介して循環する排気から自立排気プレナム構造の外部の１つ以上の空気プレナムへの伝熱を軽減し、断熱材料を実質的に含まない１つ以上の壁要素は、自立排気プレナム構造の同じ表面の下部に結合されることができる。
【０１１２】
８０４で、１つ以上の自立排気プレナム構造は、内部筐体内に装着される。この内部筐体は、フロア、天井排気プレナム、エア・ハンドリング・システムなどを含む、倉庫構造を有する、包含された内部空間を含むことができる。自立排気プレナム構造は、フロア要素に結合され、コールド・アイル空間を含み、コールド・アイル空間の少なくとも１軸に実質的に平行に延伸する、内部筐体内に接した筐体の少なくとも１つの側部を確立することができる。この軸は、空間の長軸、空間の短軸などを有することが可能である。いくつかの実施形態において、２つの自立排気プレナム構造は、コールド・アイル空間の対向側部上のフロアに結合される。コールド・アイル空間のこれらの側部は、フロア上の１箇所以上の特定の位置内の１つ以上の自立排気プレナム構造の結合に少なくとも部分的に基づき決定され、事前に決定される、などをされることができる。たとえば、２つの自立排気プレナム構造は、２箇所の特定の位置でフロアに結合されることができ、そこでこれら２つの自立排気プレナム構造は、実質的に平行に延伸し、これら２つの構造間の空間にわたり互いに「面する」ため、２つの構造間のこの空間は、コールド・アイル空間として確立され、コールド・アイル空間の軸は、各々２つの構造に関して実質的に平行に延伸するように確立される。いくつかの実施形態において、２つの自立排気プレナム構造は、実質的に平行に、接した筐体の対向側部上に装着されるため、各構造の支持アームは、接した筐体内に、及び対向するそれぞれの自立排気プレナム構造の方向へ延伸する。
【０１１３】
１つ以上の自立排気プレナム構造、プレナム・モジュールなどを含む、１つ以上のモジュラ型要素は、データ・センタの現地に出荷されることが可能である。各モジュラ型要素またはそれらの部分は、セミトレーラ上でのような、別個に運搬されることができる。いくつかの実施形態において、モジュラ型要素またはそれらの部分は、工場のような、一方の位置で事前に製造され、他方の位置でデータ・センタの現地に運搬される。特定の実施形態において、しかしながら、データ・センタ列インフラストラクチャ・モジュール用のすべてのまたはいくつかの部分のモジュラ型要素は、データ・センタの現地で組み立てられることができる。たとえば、自立排気プレナム構造及びプレナム・モジュールは、現地で共に結合され、列インフラストラクチャ・モジュールを確立することができ、ラックは、この列インフラストラクチャ・モジュール内に挿入されることができる。いくつかの実施形態において、モジュラ型要素は、現地へのモジュラ型要素の出荷前に事前に保証される。
【０１１４】
いくつかの実施形態において、フロアに構造を結合することは、フロア上にこの構造を配置することを備えることが可能であるため、この構造は、フロアの上面上に載り、ボルト締め、溶接など、それらのいくつかの組み合わせ、または同様のものの、１つ以上の結合要素を介してフロアにこの構造を固定する。
【０１１５】
８０６で、プレナム・モジュールは、接した筐体の対向側部上で少なくとも２つの自立排気プレナム構造間に装着されるため、プレナム・モジュールは、これら２つの構造間に実質的にまたがり、接した筐体の頂端部を確立する。そこでこれら２つの構造は、コールド・アイル空間の対向端部上に設置され、プレナム・モジュールは、これら２つの構造間に装着され、プレナム・モジュールの下面を介してコールド・アイル空間の頂端部を確立する。プレナム・モジュールは、プレナム・モジュールの上面を含むことができる、プレナム・モジュールの別の表面を介して、冷却空気プレナムを含む、別の筐体の底端部を確立することができる。プレナム・モジュールは、接した筐体の対向側部上の２つの自立排気プレナム構造間にまたがり、各構造の１つ以上の別個の支持アーム上に装着されることができるため、プレナム・モジュールの負荷の１部は、これらの構造の一方により支持され、負荷の別の部分は、これらの構造の他方により支持される。
【０１１６】
いくつかの実施形態において、プレナム・モジュールは、１つ以上の空気ベントを含み、これらを介して、吸気を少なくとも冷却空気プレナムからプレナム・モジュールにより頂端部上に接する、接した筐体へ誘導することが可能である。このベントは、接した筐体内で吸気の流量を制御するように調整されることが可能である１つ以上のダンパ、接した筐体内へ吸気を吸い込むように動作する１つ以上の空気移動デバイスなどを含むことができる。
【０１１７】
いくつかの実施形態において、プレナム・モジュールは、冷却空気プレナムから収容された冷却空気及び少なくとも１つの自立排気プレナム構造の内部排気プレナムから収容された少なくともいくらかの排気を混合して混合された空気を作り出す混合プレナムを確立する１つ以上の構造要素を含む。混合された空気は、空気ベントを介して接した筐体内に誘導されることが可能である。
【０１１８】
８０８で、プレナム・ダクトは、接した筐体の対向側部上の少なくとも２つの自立排気プレナム構造間に装着されるため、プレナム・ダクトは、これら２つの構造間に実質的にまたがり、プレナム・モジュールの少なくとも１つの表面上で延伸する冷却空気プレナムの頂端部を確立する。プレナム・モジュールが下面による底端部上に及び上面による頂端部上に接した筐体を含む実施形態を備える、いくつかの実施形態において、プレナム・モジュールの上面が冷却空気プレナムの頂端部を確立することができる場合に、プレナム・ダクトを省くことができる。
【０１１９】
８０９で、１つ以上の壁パネル要素は、２つの自立排気プレナム構造及びプレナム・モジュールの下面が接する、接した筐体に面する自立排気プレナム構造の１部から取り外される。壁パネル要素は、取り外され、自立排気プレナム構造の内部排気プレナムと流体連通することが可能である自立排気プレナム構造の筐体が面する側部内に「間隙」を確立することが可能である。この間隙は、接した筐体内の１つ以上の廃熱源がこの間隙を介して自立排気プレナム構造の内部排気プレナム内へ排気を放出することを可能にするように確立されることが可能である。
【０１２０】
８１０で、１つ以上のラックは、２つの自立排気プレナム構造及びプレナム・モジュールの下面が接する、接した筐体内に挿入される。そこで接した筐体は、コールド・アイル空間であり、２列以上のラックは、この空間の対向側部上の空間内に挿入されることができる。これらの２列以上は、コールド・アイル空間を介して実質的に平行に延伸することができ、自立排気プレナム構造のそれぞれの１つの１部に隣接して挿入されることができる。たとえば、そこでコールド・アイル空間に「面する」自立排気プレナム構造の１部は、自立排気プレナム構造の内部排気プレナムと流体連通することが可能である、自立構造の部分からの壁パネル要素の除去を介して少なくとも部分的に確立されることができる、「間隙」を含み、ラックは、ラックの後端部が間隙に当接し、ラック内に挿入された１つ以上の発熱デバイスから放出された排気は、間隙を介して自立排気プレナム構造の内部排気プレナム内に放出されるようにコールド・アイル空間内に配置されることができる。１つ以上のコンピュータ・システムは、ラック内に挿入されることができるため、コンピュータは、プレナム・モジュールを介して少なくとも１つの冷却空気プレナムから接した筐体内へ誘導される吸気を収容し、コンピュータ・システムの１つ以上の発熱コンポーネントから少なくとも１つの自立排気プレナム構造の内部排気プレナム内へ少なくともいくらかの熱を除去している排気を放出することができ、そこで内部排気プレナムは、自立排気プレナム構造の少なくとも１つの排気ベントを介して列インフラストラクチャ・モジュールから外へ排気の少なくとも１部を誘導する。
【０１２１】
８１２で、データ・センタ列インフラストラクチャの１つ以上の要素は、接した筐体内に挿入される。挿入されることが可能な、さまざまなインフラストラクチャ要素は、電力バス、送電線、配電ユニットなどを含む配電インフラストラクチャを含むことが可能である。挿入されることが可能なさまざまなインフラストラクチャ要素は、照明コンポーネント、ネットワーキング・ケーブルを含む通信コンポーネントなどを含むことが可能である。このインフラストラクチャは、接した筐体内に装着された１つ以上の支持要素上に装着することを介して挿入されることができる。これらの支持要素は、１つ以上の自立排気プレナム構造、プレナム・モジュールなどに結合され、接した筐体を介してさまざまなインフラストラクチャ要素をルーティングすることができる、トレー、バスウェイなどを含むことができる。これらの支持要素は、接した筐体内に挿入されるさまざまなラック内に挿入されたさまざまなコンピュータ・システムにルーティングされる、ケーブリング、伝送路などを含む電力及び通信インフラストラクチャの１つ以上の要素を支持することができる。
【０１２２】
８１４で、プレナム・モジュールが少なくとも部分的に確立する冷却空気プレナムは、外気供給に結合される。外気供給に冷却空気プレナムを結合することは、１つ以上の空気移動デバイス、空気冷却システムなどを含むことができる、エア・ハンドリング・システムに冷却空気プレナムの１つの端部を結合することを備えることが可能であり、この冷却空気プレナムは、冷却空気としてエア・ハンドリング・システムから冷却された空気を収容することが可能である。いくつかの実施形態において、冷却空気プレナムを外気供給に結合することは、周囲環境へのベントに冷却空気プレナムの１つの端部を結合することを備えることが可能であり、そこで冷却空気プレナムは、冷却空気として周囲環境から周囲空気を収容することが可能である。
【０１２３】
８１６で、接した筐体を介して気流を誘導する。気流を誘導することは、吸気を接した筐体内へ供給することを備えることが可能であり、この吸気は、ラック内に挿入された１つ以上のデバイスにより収容され、これら１つ以上のデバイス内の１つ以上の発熱コンポーネントから熱を除去し、つぎに排気として１つ以上のデバイスから１つ以上の自立排気プレナム構造の１つ以上の内部排気プレナム内へ放出されることが可能である。気流は、いくつかの実施形態において、冷却空気を冷却空気プレナムに供給して１つ以上のプレナム・モジュールの１つ以上のベントを介して接した筐体内へ誘導される、１つ以上の空気移動デバイスを含むことができる、外部エア・ハンドリング・システムにより誘導されることが可能である。この外部エア・ハンドリング・システムは、１つ以上のさまざまな冷却システムを介して冷却されている空気を、１つ以上の自立排気プレナム構造の１つ以上の排気ベントから放出され、自立排気プレナム構造の外部である内部筐体の少なくとも１つの排気プレナムを介して外部エア・ハンドリング・システムへ誘導される少なくともいくらかの排気と混合して、冷却空気を供給することができる。気流は、いくつかの実施形態において、１つ以上のプレナム・モジュール内に含まれた１つ以上の空気移動デバイスにより誘導されることが可能であり、これらの空気移動デバイスは、周囲環境を含むことができる、１つ以上の外部源から冷却空気プレナム内へ空気を吸い込み、吸い込まれた空気を接した筐体内へ供給する。
【０１２４】
図９は、いくつかの実施形態によりデータ・センタ列インフラストラクチャ・モジュールの１つ以上のコンポーネントを介してコンピューティング筐体内の空気循環を管理することを説明する。
【０１２５】
９００で、外気源から内部筐体内へデータ・センタ列インフラストラクチャ・モジュールの冷却空気プレナムの少なくとも１部内へ空気を収容する。外気源は、いくつかの実施形態において、１つ以上のさまざまな空気冷却システムの動作を介して冷却される周囲空気から少なくとも部分的になる冷却空気を供給する１つ以上のエア・ハンドリング・システムを含むことが可能である。いくつかの実施形態において、エア・ハンドリング・システムは、再循環された排気を冷却された周囲空気と混合して冷却空気を供給する。この冷却空気は、エア・ハンドリング・システム及び冷却空気プレナム間に冷却空気を誘導することができる、１つ以上の空気ダクトを含むことができる、１つ以上のコンジットを介して外気源から収容されることができる。結果として、冷却空気プレナム内に収容された空気は、いくつかの実施形態において、冷却された空気及び再循環された排気の混合物である混合された空気を含む。混合された空気内の冷却された空気及び排気の相対的な割合は、１つ以上の列インフラストラクチャ・モジュールの１つ以上の接した筐体内の１つ以上の環境条件に基づき、１つ以上のダンパ、空気移動デバイスなどの動作を介して制御されることができる。これらの相対的な割合は、温度、相対湿度、湿球温度などの範囲を含む、所定の値の１つ以上の範囲内の１つ以上の環境条件を維持するように制御されることができる。
【０１２６】
９０２で、列インフラストラクチャ・モジュールの冷却空気プレナムの少なくとも１部内に収容された空気は、冷却空気プレナムの１部を介して誘導される。この空気は、冷却空気を含むことができ、圧力勾配、温度勾配などを有することができる、冷却空気プレナムの部分内の１つ以上の勾配に少なくとも部分的に基づき冷却空気プレナムを介して誘導されることができる。たとえば、そこで空気は、空気移動デバイスを含む外気源から冷却空気プレナム内へ収容され、空気移動デバイスは、冷却空気プレナム及び列インフラストラクチャ・モジュールの接した筐体を連通可能に結合する１つ以上のベントを含む、冷却空気プレナムを空気が出ることを可能にする、さまざまなベントに関して冷却空気プレナムの上流側の気圧を増加させることができるため、空気は、さまざまなベント方向へ冷却空気プレナムの１つ以上の部分内に、及びこれらを介して「吹き出される」。別の実施例において、そこで空気は、周囲環境を含む外気源から冷却空気プレナム内へ収容され、冷却空気プレナムと流体連通する１つ以上の空気移動デバイスは、冷却空気プレナム及び列インフラストラクチャ・モジュールの接した筐体を連通可能に結合する１つ以上のベントに含む、冷却空気プレナムの下流側の地点での気圧を減少させるように動作することができるため、空気は、さまざまなベント方向へ冷却空気プレナムの１つ以上の部分内に、及びこれらを介して「吸い込まれる」。１つ以上のプレナム・ダクト、プレナム・モジュール、自立排気プレナム構造などの部分を含む、冷却空気プレナムの１つ以上の境界面を確立する、さまざまな部分のコンポーネントは、接した筐体への１つ以上のベント方向へ冷却空気プレナムの１つ以上の部分を介して空気を誘導することができる。
【０１２７】
９０４で、空気は、それぞれの列インフラストラクチャ・モジュールの少なくとも１つの冷却空気プレナムから１つ以上の列インフラストラクチャ・モジュールの１つ以上の接した筐体内へ誘導される。そこで接した筐体は、フロア要素による底端部上に、自立排気プレナム構造による側端部上に、及びプレナム・モジュールによる頂端部に接するコールド・アイル空間を含む、筐体を含み、１つ以上のコンピュータ・システムを収容することが可能である１つ以上のラックを含み、空気は、空気が冷却空気プレナムから接した筐体内へ流れることを可能にするプレナム・モジュールの少なくとも１つの下面内の１つ以上のベントを介して接した筐体内へ誘導されることが可能である。少なくとも冷却空気プレナムから接した筐体内へ誘導された空気は、接した筐体に関して「吸気」とされ得る。いくつかの実施形態において、そこでプレナム・モジュールのベントは、１つ以上の空気移動デバイスを含み、空気は、これらの１つ以上の空気移動デバイスの動作に少なくとも部分的に基づき接した筐体内へ供給される。このベントは、接した筐体内への吸気の流量を管理するように調整可能に制御されることができる１つ以上のダンパを含むことができる。
【０１２８】
９０６で、排気は、１つ以上の接した筐体から１つ以上の列インフラストラクチャ・モジュールの１つ以上の自立排気プレナム構造内へ収容される。排気は、１つ以上の自立排気プレナム構造の内部内に含まれた１つ以上の内部排気プレナム内へ収容されることができる。排気は、接した筐体内に挿入される１つ以上のラック内に挿入された１つ以上のデバイスの１つ以上の発熱コンポーネントから収容されることができる。排気は、自立排気プレナム構造の１つ以上の表面に接する１つ以上の壁要素、自立排気プレナム構造の表面内の間隙に当接する、接した筐体内に挿入された壁要素及びラック間の境界面を密封する１つ以上の密封要素などを介して接した筐体へ戻ることを妨げられることができる。
【０１２９】
９０８で、１つ以上の列インフラストラクチャ・モジュール内の１つ以上の自立排気プレナム構造の１つ以上の内部排気プレナム内の排気は、列インフラストラクチャ・モジュールの外部にある１つ以上の排気プレナムを含む、外部位置へ誘導される。排気は、自立排気プレナム構造の１つ以上の内部排気プレナム及び外部環境間で流体連通することが可能である自立排気プレナム構造内の１つ以上の排気ベントを介して外部位置へ誘導されることが可能である。この外部環境は、内部筐体の上部内に排気プレナムを含む、列インフラストラクチャ・モジュールを設置する内部筐体の１つ以上の部分を含むことが可能である。いくつかの実施形態において、排気は、内部排気プレナムを介して及び自立排気プレナム構造の頂側部上に設置された１つ以上の排気ベントから外へ上昇し、自立排気プレナム構造から外へ及び外部環境内へ上昇する、煙突効果に少なくとも部分的に基づき、内部筐体排気プレナムを含むことができる、外部環境へ排気は、誘導される。いくつかの実施形態において、排気は、外部環境、排気ベント、内部排気プレナム、それらのいくつかの組み合わせ、または同様のもののうちの１つ以上の内に設置されることができる１つ以上の空気移動デバイスに少なくとも部分的に基づき誘導されることができる、内部排気プレナム及び外部環境間の圧力勾配に少なくとも部分的に基づき外部環境に誘導されることができる。
【０１３０】
図１０は、いくつかの実施形態によりデータ・センタ列インフラストラクチャ・モジュールの１つ以上のコンポーネントを介するコンピューティング筐体内の空気循環を管理することを説明する。
【０１３１】
１０００で、空気は、外気源から内部筐体内の列インフラストラクチャ・モジュールの冷却空気プレナムの少なくとも１部内に収容される。この冷却空気は、エア・ハンドリング・システム及び冷却空気プレナム間に冷却空気を誘導することができる、１つ以上の空気ダクトを含むことができる、１つ以上のコンジットを介して外気源から収容されることができる。いくつかの実施形態において、外気源は、周囲環境、及び冷却空気がこの周囲環境から収容された周囲空気を含む場合に冷却空気プレナムの部分内に収容された空気を含む。
【０１３２】
１００２で、列インフラストラクチャ・モジュールの冷却空気プレナムの少なくとも１部内に収容された空気は、冷却空気プレナムの１部を介して誘導される。この空気は、冷却空気を含むことができ、圧力勾配、温度勾配などを有することができる、冷却空気プレナムの１部内の１つ以上の勾配に少なくとも部分的に基づき冷却空気プレナムを介して誘導されることができる。たとえば、そこで空気は、空気移動デバイスを含む外気源から冷却空気プレナム内へ収容され、空気移動デバイスは、冷却空気プレナム及び列インフラストラクチャ・モジュールの接した筐体を連通可能に結合する１つ以上のベントを含む、冷却空気プレナムを空気が出ることが可能であるさまざまなベントに関して冷却空気プレナムの上流側の気圧を増加させることができるため、空気は、これらのさまざまなベント方向へ冷却空気プレナムの１つ以上の部分内に及びこれらを介して「吹き出される」。別の実施例において、そこで周囲環境を有する外気源から冷却空気プレナム内へ空気を収容し、冷却空気プレナムと流体連通する１つ以上の空気移動デバイスは、冷却空気プレナム及び列インフラストラクチャ・モジュールの接した筐体を連通可能に結合する１つ以上のベントに含む、冷却空気プレナムの下流側の地点で気圧を減少させるように動作することができるため、空気は、さまざまなベント方向へ冷却空気プレナムの１つ以上の部分内に及びこれらを介して「吸い込まれる」。１つ以上のプレナム・ダクト、プレナム・モジュール、自立排気プレナム構造などの部分を含む、冷却空気プレナムの１つ以上の境界面を確立する、さまざまな部分のコンポーネントは、接した筐体へ１つ以上のベント方向に冷却空気プレナムの１つ以上の部分を介して空気を誘導することができる。
【０１３３】
１００４で、冷却空気プレナムの１つ以上の部分を介して誘導される空気は、混合プレナムに誘導され、少なくとも１つの自立排気プレナム構造の内部排気プレナムから混合プレナム内へ誘導される排気の少なくとも１部と混合される。この排気は、混合プレナムと内部排気プレナムを連通可能に結合する１つ以上のベントを介して混合プレナム内に誘導されることができる。これらのベントは、混合プレナム内で排気流を制御するように調整されることが可能である１つ以上の調整可能なダンパを含むことができ、ベントは、自立排気プレナム構造の表面、この自立排気プレナム構造の表面内の間隙に隣接する混合プレナムの表面などの内に装着されることができる。冷却空気プレナムから混合プレナム内に誘導された空気は、冷却空気を含むことが可能であり、混合プレナム内に誘導された排気と混合され、混合された空気を供給することができる。自立排気プレナム構造から混合プレナムへベントの調整可能なダンパは、混合プレナム内で排気流を制御して、温度、相対湿度、湿球温度などのうちの１つ以上を含む、混合された空気の１つ以上の特定の特性を維持するように調整されることができる。
【０１３４】
１００６で、混合された空気は、それぞれの列インフラストラクチャ・モジュールの少なくとも混合プレナムから１つ以上の列インフラストラクチャ・モジュールの１つ以上の接した筐体内に誘導される。そこで接した筐体は、フロア要素による底端部上に、自立排気プレナム構造による側端部上に、及びプレナム・モジュールによる頂端部に接するコールド・アイル空間を含む、筐体を含み、１つ以上のコンピュータ・システムを収容することが可能である１つ以上のラックを含み、混合された空気は、プレナム・モジュールの少なくとも下面内の１つ以上のベントを介して接した筐体内に誘導されることが可能であり、そこでプレナム・モジュールの下面は、混合プレナムの下端部に接することができ、混合プレナムから接した筐体内へ空気が流れることを可能にする。少なくとも混合プレナムから接した筐体内に誘導された空気は、接した筐体に関して「吸気」とされ得る。いくつかの実施形態において、そこでプレナム・モジュールのベントは、１つ以上の空気移動デバイスを含み、空気は、１つ以上の空気移動デバイスの動作に少なくとも部分的に基づき接した筐体内へ供給される。このベントは、接した筐体内への吸気の流量を管理するように調整可能に制御されることができる１つ以上のダンパを含むことができる。
【０１３５】
１００８で、排気は、１つ以上の接した筐体から１つ以上の列インフラストラクチャ・モジュールの１つ以上の自立排気プレナム構造内へ収容される。この排気は、１つ以上の自立排気プレナム構造の内部内に含まれた１つ以上の内部排気プレナム内に収容されることができる。排気は、接した筐体内に挿入される１つ以上のラック内に挿入された１つ以上のデバイスの１つ以上の発熱コンポーネントから収容されることができる。排気は、自立排気プレナム構造の１つ以上の表面に接する１つ以上の壁要素、自立排気プレナム構造の表面内の間隙に当接する、接した筐体内に挿入された壁要素及びラック間の境界面を密封する１つ以上の密封要素などを介して接した筐体に戻ることを妨げられることができる。
【０１３６】
１０１０で、１つ以上の列インフラストラクチャ・モジュール内の１つ以上の自立排気プレナム構造の１つ以上の内部排気プレナム内の排気は、列インフラストラクチャ・モジュールの外部にある１つ以上の排気プレナムを含む、外部位置に誘導される。排気は、自立排気プレナム構造の１つ以上の内部排気プレナム及び外部環境間の流体連通を可能にする自立排気プレナム構造内の１つ以上の排気ベントを介して外部位置に誘導されることが可能である。この外部環境は、内部筐体の上部内に排気プレナムを含む、列インフラストラクチャ・モジュールを設置する内部筐体の１つ以上の部分を含むことが可能である。いくつかの実施形態において、排気は、内部排気プレナムを介して及び自立排気プレナム構造の頂側部上に設置された１つ以上の排気ベントから外へ上昇して、自立排気プレナム構造から外へ及び外部環境内に上昇する、煙突効果に少なくとも部分的に基づき、内部筐体排気プレナムを含むことができる、外部環境に排気が誘導される。いくつかの実施形態において、排気は、外部環境、排気ベント、内部排気プレナム、それらのいくつかの組み合わせ、または同様のもののうちの１つ以上の内に設置されることができる１つ以上の空気移動デバイスに少なくとも部分的に基づき誘導されることができる、内部排気プレナム及び外部環境間の圧力勾配に少なくとも部分的に基づき外部環境に誘導されることができる。
【０１３７】
図面で図示され、本明細書で記述されるような、さまざまな方法は、方法の例示的な実施形態を表す。これらの方法は、ソフトウェア、ハードウェア、またはそれらの組み合わせ内に実装されることができる。方法の順序は、変更されることができ、さまざまな要素は、追加、再順序付け、結合、省略、修正などをされることができる。
【０１３８】
本開示の実施形態は、以下の条項の観点で記述されることが可能である。
１．データ・センタ内部空間内に位置決めされ、少なくとも２列のサーバ・ラックに吸気を誘導するように、及び前記少なくとも２列のサーバ・ラックから離れて前記データ・センタ内部空間の少なくとも１部内に排気を誘導するように構成されたデータ・センタ列インフラストラクチャ・モジュール、を備え、
前記データ・センタ列インフラストラクチャ・モジュールは、
コールド・アイル空間、
少なくとも２つの自立排気プレナム構造、及び、
プレナム・モジュール、を備え、
前記コールド・アイル空間は、長軸及び別個の少なくとも２列のラック・コンピューティング・システムを備え、各列のラック・コンピューティング・システムは、前記長軸の対向側部上に位置決めされ、各ラック・コンピューティング・システムは、前記長軸に面する前側部上に吸気を収容するように、及び前記長軸から離れて面する後側部上に排気を放出するように構成され、
前記少なくとも２つの自立排気プレナム構造は、前記コールド・アイル空間の対向側部上に前記少なくとも２列のラック・コンピューティング・システムのうちの別個のものの後側部に隣接する前記フロア要素上に各々装着され、各自立排気プレナム構造は、
前記自立排気プレナム構造に構造支持を提供するように構成されるフレーム構造、
前記フレーム構造に少なくとも部分的に接する内部排気プレナム、
前記フレーム構造に結合され、前記コールド・アイル空間に面する前記自立排気プレナム構造のアイルが面する側部の少なくとも１部を実質的に包含する少なくとも１セットの壁要素、を備え、
前記内部排気プレナムは、隣接する１列のラック・コンピュータ・システムの前記後側部から前記排気を収容し、前記排気を前記データ・センタ内部空間の前記１部内に誘導するように構成され、
前記少なくとも１セットの壁要素は、前記隣接する列のラック・コンピュータ・システムの前記後側部から放出された排気への前記内部排気プレナム内の気流を制限するように構成され、
前記プレナム・モジュールは、前記少なくとも２つの自立排気プレナム構造間の前記コールド・アイル空間にまたがり、前記プレナム・モジュール上の冷却空気プレナムの下側の境界及び前記プレナム・モジュール下の前記コールド・アイル空間の上側の境界を確立し、前記プレナム・モジュールは、
前記冷却空気プレナムを介して循環する冷却空気の少なくとも１部を前記コールド・アイル空間内に誘導し、吸気として前記少なくとも２列のラック・コンピューティング・システムへ供給されるように構成される吸気供給ベント、を備える、
データ・センタ。
【０１３９】
２．前記プレナム・モジュールは、
前記冷却空気プレナムから収容された冷却空気を前記少なくとも２つの自立排気プレナム構造のうちの少なくとも１つの前記内部排気プレナムから収容された排気と混合して吸気を供給するように構成された空気混合プレナム、
前記自立排気プレナム構造のうちの前記少なくとも１つの前記内部排気プレナムからの前記排気を前記空気混合プレナム内に誘導するように構成された少なくとも１セットのダンパ、及び、
前記空気混合プレナムから前記アイル空間内に前記吸気を供給するように構成された空気移動デバイス、をさらに備える、
条項１の前記データ・センタ。
【０１４０】
３．前記データ・センタ内部空間は、前記少なくとも２つの自立排気プレナム構造の前記内部排気プレナムから周囲環境へ放出された排気の少なくとも１部を誘導するように構成された排気プレナムを備え、
前記データ・センタは、前記データ・センタ列インフラストラクチャ・モジュールの前記排気プレナム及び前記冷却空気プレナムに結合されたエア・ハンドリング・システムをさらに備え、前記エア・ハンドリング・システムは、
前記周囲環境から周囲空気を収容し、
前記排気プレナムから前記排気の少なくとも別の部分を収容し、
前記排気の他の部分及び前記周囲空気を混合して吸気を生成し、かつ、
前記吸気を前記データ・センタ列インフラストラクチャ・モジュールの前記冷却空気プレナムに供給する、ように構成される、
いずれかの先行する条項の前記データ・センタ。
【０１４１】
４．少なくとも２つの自立排気プレナム構造、及び
プレナム・モジュール、を備え、
前記少なくとも２つの自立排気プレナム構造は、筐体の対向側端部を包含し、
各自立排気プレナム構造は、壁要素により少なくとも部分的に包含された内部排気プレナム、を備え、
前記内部排気プレナムは、前記筐体からの排気を収容するように、及び前記自立排気プレナム構造の頂端部上に排気口を介して前記収容された排気を誘導するように構成され、
前記プレナム・モジュールは、前記少なくとも２つの自立排気プレナム構造間の前記筐体の頂端部にまたがり、前記筐体上に、及び前記筐体から分離して冷却空気プレナムの底端部を確立し、前記プレナム・モジュールは、前記冷却空気プレナムから前記筐体へ吸気を供給するように構成された少なくとも１つの吸気供給ベントを含む、
データ・センタ列インフラストラクチャ・モジュール。
【０１４２】
５．前記プレナム・モジュールの前記吸気供給ベントは、前記冷却空気プレナムから前記筐体へ気流を誘導して前記吸気を前記筐体内へ供給するように構成された空気移動デバイスを備える、
条項４の前記データ・センタ列インフラストラクチャ・モジュール。
【０１４３】
６．前記プレナム・モジュールは、
前記冷却空気プレナムから収容された冷却空気を前記少なくとも２つの排気プレナム構造のうちの少なくとも１つから収容された排気流と混合して前記空気移動デバイスにより前記筐体内へ供給される前記吸気を提供するように構成された、空気混合プレナム、及び、
前記排気プレナム構造の前記少なくとも１つに結合され、前記排気プレナム構造の前記少なくとも１つの前記内部排気プレナムから前記空気混合プレナム内へ前記排気流を誘導するように構成された少なくとも１セットのダンパ、
をさらに備える、
条項５の前記データ・センタ列インフラストラクチャ・モジュール。
【０１４４】
７．前記少なくとも１セットのダンパは、前記空気混合プレナム内への前記排気の流量を調整するように調整可能に位置決めされるように構成される、
条項６の前記データ・センタ列インフラストラクチャ・モジュール。
【０１４５】
８．前記少なくとも１セットのダンパは、前記筐体内へ供給された前記吸気の１つ以上の特性に少なくとも部分的に基づき前記空気混合プレナム内へ前記排気流の前記流量を能動的に調整するように構成される、
条項７の前記データ・センタ列インフラストラクチャ・モジュール。
【０１４６】
９．前記壁要素は、
少なくとも前記冷却空気プレナムと共通の高さで、及び少なくとも部分的に前記プレナム・モジュールより高い高さで前記内部排気プレナムの一方の特定の部分を包含する一方の特定の壁要素、ならびに、
前記筐体の１部と共通の高さで、少なくとも部分的に前記プレナム・モジュールより低い高さで、及び少なくとも部分的に前記筐体内に位置決めされた少なくとも１つのラック・コンピューティング・システムより高い高さで前記内部排気プレナムの他方の特定の部分を包含する他方の特定の壁要素、を備える、
条項４〜８のいずれかの前記データ・センタ列インフラストラクチャ・モジュール。
【０１４７】
１０．前記プレナム・モジュールから分離し、前記少なくとも２つの自立排気プレナム構造間の前記冷却空気プレナムの頂端部にまたがり、前記冷却空気プレナムの少なくとも１つの頂端部を確立する、プレナム・ダクト・モジュール、を備える、
条項４〜９のいずれかの前記データ・センタ列インフラストラクチャ・モジュール。
【０１４８】
１１．各前記排気プレナム構造は、前記筐体上に前記プレナム・モジュールを構造上支持するように構成された支持構造を備え、各支持構造は、
前記支持構造の上面上に装着され、前記支持構造の前記上面及び前記支持構造上に載る前記プレナム・モジュールの下面間の境界面を密封して前記境界面を介して前記冷却空気プレナム及び前記筐体間の気流を制限するように構成された少なくとも１つの密封要素、を備える、
条項４〜１０のいずれかの前記データ・センタ列インフラストラクチャ・モジュール。
【０１４９】
１２．各自立排気プレナム構造は、前記内部排気プレナムを包含し前記自立排気プレナム構造へ構造上の支持を提供するように適合される、少なくとも複数の耐荷重フレーム部材を備える、棚パレット・ラック・システムの棚ラックを備え、
前記支持構造は、前記棚パレット・ラック・システムの前記棚ラックの筐体が面する側部に結合するように、及び前記支持構造上に載るプレナム・モジュールの構造上の荷重の少なくとも１部を支持するように適合される、ドライブスルー・パレット・ラック・システムの支持構造を備える、
条項１１の前記データ・センタ列インフラストラクチャ・モジュール。
【０１５０】
１３．前記プレナム・モジュールの少なくとも１部から前記筐体内へ懸架され、データ・センタ・インフラストラクチャ支持モジュールの上面の少なくとも１部上に載る以下のデータ・センタ・インフラストラクチャ・コンポーネント、
前記筐体内に位置決めされた少なくとも１つのラック・コンピューティング・システムに通信可能に結合された１本以上の送電線、
前記筐体内に位置決めされた少なくとも１つのラック・コンピューティング・システムに通信可能に結合された１本以上のネットワーク・ケーブル、及び、
前記筐体の少なくとも１部を照らすように構成された１つ以上の照明素子、  
のうちの１つ以上を構造上支持する前記データ・センタ・インフラストラクチャ支持モジュール、を備える、
条項４〜１２のいずれかの前記データ・センタ列インフラストラクチャ・モジュール。
【０１５１】
１４．前記少なくとも２つの自立排気プレナム構造のうちの少なくとも１つの筐体が面する側部の少なくとも１部から前記筐体内へ懸架し、前記データ・センタ・インフラストラクチャ支持モジュールの上面の少なくとも１部上に載る以下のデータ・センタ・インフラストラクチャ・コンポーネント、
前記筐体内に位置決めされた少なくとも１つのラック・コンピューティング・システムに通信可能に結合された１本以上の送電線、
前記筐体内に位置決めされた少なくとも１つのラック・コンピューティング・システムに通信可能に結合された１本以上のネットワーク・ケーブル、及び、
前記筐体の少なくとも１部を照らすように構成された１つ以上の照明素子、
のうちの１つ以上を構造上支持するデータ・センタ・インフラストラクチャ支持モジュール、を備える、
条項４〜１３のいずれかの前記データ・センタ列インフラストラクチャ・モジュール。
【０１５２】
１５．フロア要素の１部の対向端部に隣接する少なくとも２つの自立排気プレナム構造を装着し、各前記少なくとも２つの自立排気プレナム構造は、内部空気プレナムを包含し、前記フロア要素の前記１部の長軸に関して実質的に平行に延伸し、筐体の側端部を確立し、
前記少なくとも２つの自立排気プレナム構造のうちのそれぞれの１つの筐体が面する側部から前記筐体内へ各延伸する、少なくとも２つの別個の支持構造上に少なくとも１つのプレナム・モジュールを装着し、前記プレナム・モジュールの下面上に前記筐体の頂端部を確立し、前記プレナム・モジュールの上面上に冷却空気プレナムの底端部を確立し、
前記プレナム・モジュールは、少なくとも１つの吸気供給ベントを備え、前記少なくとも１つの吸気供給ベントを介して前記冷却空気プレナムから前記筐体内へ吸気を誘導するように構成され、かつ、
各前記少なくとも２つの自立排気プレナム構造は、前記筐体から前記それぞれの排気プレナム構造の前記内部空気プレナム内へ排気を収容して、排気供給ベントを介して、前記内部空気プレナムから外へ、及び外部環境内へ前記排気を誘導するように構成される、ことを備える、方法。
【０１５３】
１６．前記プレナム・モジュールは、
前記冷却空気プレナムから前記筐体へ気流を誘導して前記吸気供給ベントを介して前記筐体内へ前記吸気を供給するように構成された空気移動デバイス、
前記冷却空気プレナムから収容された冷却空気を前記少なくとも２つの自立排気プレナム構造のうちの少なくとも１つから収容された排気流と混合して前記空気移動デバイスが前記筐体内に供給する前記吸気を提供するように構成された、空気混合プレナム、及び、
前記自立排気プレナム構造のうちの前記少なくとも１つに結合され、前記排気プレナム構造のうちの前記少なくとも１つの前記内部空気プレナムから前記空気混合プレナム内へ前記排気流を誘導するように構成された少なくとも１セットのダンパ、を備える、
条項１５の前記方法。
【０１５４】
１７．前記筐体内へ供給された前記吸気の１つ以上の特性に少なくとも部分的に基づき前記空気混合プレナム内へ前記排気の流量を調整するように前記少なくとも１セットのダンパのうちの１つ以上を調整可能に位置決めする、ことを備える、
条項１６の前記方法。
【０１５５】
１８．フロア要素の１部の対向端部に隣接する各前記少なくとも２つの自立排気プレナム構造を装着することは、
フレーム構造の少なくとも１つの特定の側部に１つ以上の壁要素を結合し、前記内部空気プレナムとして前記フレーム構造の内部空間を少なくとも部分的に包含し、
フロア要素の１部の特定の端部に隣接する前記フレーム構造を装着し、前記フレーム構造の前記特定の側部は、前記フロア要素の前記１部に面し、前記筐体の少なくとも１つの側部を確立する、ことを備える、
条項１５〜１７のいずれかの前記方法。
【０１５６】
１９．各前記少なくとも２つの自立排気プレナム構造の別個の部分上に前記プレナム・モジュールから分離するプレナム・ダクト・モジュールを装着し、前記プレナム・ダクト・モジュールは、前記少なくとも２つの自立排気プレナム構造間の前記冷却空気プレナムの頂端部にまたがり、前記冷却空気プレナムの頂端部を確立する、ことを備える、
条項１５〜１８のいずれかの前記方法。
【０１５７】
２０．フロア要素のうちの１部の対向端部に隣接する各前記少なくとも２つの自立排気プレナム構造を装着することは、
前記内部空気プレナムを包含して前記自立プレナム構造に構造上の支持を提供するように、少なくとも複数の耐荷重フレーム部材を備える、棚パレット・ラック・システムの棚ラックを適合させ、かつ、
ドライブスルー・パレット・ラック・システムの支持アーム構造を、前記棚パレット・ラック・システムの前記棚ラックの筐体が面する側部に結合するように、及び前記支持アーム構造上に載るプレナム・モジュールの構造上の荷重の少なくとも１部を支持するように適合させる、ことを備える、
条項１５〜１９のいずれかの前記方法。
【０１５８】
上記の実施形態をかなり詳細に記述しているが、複数の変形形態及び変更形態は、上記の開示を完全に理解すると当業者に明らかになるであろう。以下の特許請求の範囲がすべてのこのような変形形態及び変更形態を包含するように解釈されるべきであることを意図する。
【図１】
0006433583.tif 000002
【図２Ａ】
0006433583.tif 000003
【図２Ｂ】
0006433583.tif 000004
【図３】
0006433583.tif 000005
【図４】
0006433583.tif 000006
【図５】
0006433583.tif 000007
【図６】
0006433583.tif 000008
【図７】
0006433583.tif 000009
【図８】
0006433583.tif 000010
【図９】
0006433583.tif 000011
【図１０】
0006433583.tif 000012